(57)【要約】  少なくとも一つのゴルフクラブシャフトアセンブリおよび複数の着脱可能なゴルフクラブヘッドアセンブリを有するゴルフクラブシステム。該ゴルフクラブヘッドアセンブリはクラブヘッド、ヘッドシャフトセグメントおよびヘッド連結ピンを含んでなり、ゴルフクラブヘッドアセンブリをゴルフクラブシャフトアセンブリに可逆的に取り付けてゴルフクラブを形成する。ゴルフクラブヘッドアッセンブリのいずれか一つは、ゴルフクラブシャフトアセンブリにカップラーを用いて取り付けることができる。第２カップラーによって少なくとも一つのゴルフクラブシャフトアセンブリを上部シャフトセグメントと下部シャフトセグメントに分離してゴルフクラブシステムの大きさを小さくする。ゴルフクラブシステムは少なくとも一つのシャフトと複数の着脱可能なゴルフクラブヘッドアセンブリを収納するためのゴルフバッグを具備してもよい。【選択図】図２０
2016509496.tif 000002
【特許請求の範囲】
【請求項１】
グリップとカップラーとを有するシャフトならびに複数のゴルフクラブヘッドアセンブリを有し、
前記カップラーはカップラーハウジングを有し、該カップラーハウジングはハウジング取り付けピンを有し、該ハウジング取り付けピンは前記カップラーを取り付けるように前記シャフトに取り付けられており；
前記シャフトは前記ハウジング取り付けピンをしっかりと取り付けるように接着剤を受け入れるよう溝が付けられた内面を有し；
ゴルフクラブアセンブリは第２シャフトに取り付けられたゴルフクラブヘッドをそれぞれ有し、各第２シャフトのシャフト長は前記第１シャフトのシャフト長よりも短く、前記ヘッド連結ピンが第２シャフトにそれぞれ取り付けられており；
前記カップラーが、各ゴルフクラブアセンブリの各ヘッド連結ピンを受け入れて前記第１シャフトを前記第２シャフトにきつく連結するように構成されている、
ゴルフクラブシステム。
【請求項２】
ホーゼルを更に有する、請求項１に記載のゴルフクラブシステム。
【請求項３】
前記カップラーハウジングは、内面、及び該カップラーハウジングの該内面に接触する複数のボールベアリングを含み、
前記ヘッド連結ピンは、前記複数のボールベアリングに接触する外面を含み、
前記カップラーハウジングの前記内面のボールベアリングに接触する部分、及び前記ヘッド連結ピンの外部のボールベアリングに接触する部分が硬化されており、前記カップラーハウジング及び前記ヘッド連結ピンの残りの部分は硬化されていない、請求項１に記載のゴルフクラブシステム。
【請求項４】
前記ヘッド連結ピンは円錐形状を有する、請求項１に記載のゴルフクラブシステム。
【請求項５】
シャフトアセンブリは第２カップラーを含む、請求項１に記載のゴルフクラブシステム。
【請求項６】
前記第２カップラーにはねじが切られている、請求項５に記載のゴルフクラブシステム。
【請求項７】
前記ねじ切りは方向を有する、請求項６に記載のゴルフクラブシステム。
【請求項８】
前記第２カップラーは、第２連結ピンを受け入れることができる受け部を含む、請求項７に記載のゴルフクラブシステム。
【請求項９】
前記第２連結ピンは円錐形状を有する、請求項８に記載のゴルフクラブシステム。
【請求項１０】
前記複数のゴルフクラブヘッドアセンブリ及び前記シャフトアセンブリを収納するゴルフクラブバッグを更に有する、請求項１に記載のゴルフクラブシステム。
【請求項１１】
前記ゴルフバッグはバックパックである、請求項１０に記載のゴルフクラブシステム。
【請求項１２】
前記ゴルフバッグはコンピュータータブレットを含む、請求項１０に記載のゴルフクラブシステム。
【請求項１３】
前記カップラーは、ゴルフクラブシャフトアセンブリに対する前記ゴルフクラブヘッドアセンブリの回転を防止するピンを含む、請求項１に記載のゴルフクラブシステム。
【請求項１４】
前記第２カップラーは、ゴルフクラブシャフトアセンブリに対する前記ゴルフクラブヘッドアセンブリの回転を防止するピンを含む、請求項５に記載のゴルフクラブシステム。
【請求項１５】
各第２シャフトは、該第２シャフトが取り付けられる前記ゴルフクラブヘッドに応じた長さを有する、請求項１に記載のゴルフクラブシステム。
【請求項１６】
ゴルフクラブシャフトアセンブリならびに複数のゴルフクラブヘッドアセンブリを有し、
前記ゴルフクラブシャフトアセンブリは、グリップを有する上側シャフトセグメントと、該シャフトに取り付けられたカップラー本体と、ねじ付きカラーと、下側シャフトセグメントを有し、
前記下側シャフトセグメントは、前記カップラー本体を受け入れる受け部、及び前記ねじ付きカラーを受け入れて前記下側シャフトセグメントを前記上側シャフトセグメントに強制的に嵌合させるねじ部分を有し、前記下側シャフトセグメントは第２カップラーをさらに有し、
各ゴルフクラブヘッドアセンブリは、ヘッドシャフトセグメントに取り付けられたゴルフクラブヘッド、及び前記第２カップラーに嵌まって該ゴルフクラブヘッドアセンブリと前記下側シャフトセグメントとを強制的に嵌合させる前記ヘッドシャフトセグメントに取り付けられるヘッド連結ピンを有する、
ゴルフクラブシステム。
【請求項１７】
前記第１カップラーは、前記ゴルフクラブシャフトアセンブリに対する前記ゴルフクラブヘッドアセンブリの回転を防止する回転防止ピンを含む、請求項１６に記載のゴルフクラブシステム。
【請求項１８】
前記第２カップラーは、前記ゴルフクラブシャフトアセンブリに対する前記ゴルフクラブヘッドアセンブリの回転を防止する回転防止ピンを含む、請求項１６に記載のゴルフクラブシステム。
【請求項１９】
前記カップラー本体は円錐の形状である、請求項１６に記載のゴルフクラブシステム。
【請求項２０】
前記ヘッド連結ピンは円錐の形状である、請求項１６に記載のゴルフクラブシステム。
【請求項２１】
前記第１カップラー及び前記第２カップラーの双方は、硬化された部分及び硬化されてない部分を有する、請求項１６に記載のゴルフクラブシステム。
【請求項２２】
前記ヘッドシャフトセグメントは、前記ヘッド連結ピンを該ヘッドシャフトセグメントにしっかりと取り付けるために接着剤を受け入れる溝を有する内面を有する、請求項１６に記載のゴルフクラブシステム。
【請求項２３】
前記第２カップラーは、カップラー取り付けピンを有し、前記下側シャフトセグメントは、前記第２カップラーを前記下側シャフトセグメントにしっかりと取り付けるために接着剤を受け入れる溝を有する内面を有する、請求項１６に記載のゴルフクラブシステム。
【請求項２４】
各ヘッドシャフトセグメントは、該ヘッドシャフトセグメントに取り付けられる前記ゴルフクラブヘッドに応じた長さを有する、請求項１６に記載のゴルフクラブシステム。
【発明の詳細な説明】
【技術分野】
【０００１】
本願は、２０１２年１２月２８日に出願された米国仮特許出願第６１／７４７，１８０号（係属中）の利益を主張するものであり、この出願は参照によりその全体が本明細書に援用される。
【０００２】
本発明の実施形態は、包括的にはゴルフクラブ及び関連する器具に関する。より詳細には、実施形態は、単一の共有されるシャフトにそれぞれ嵌めることができる交換可能なゴルフクラブヘッドを有するゴルフクラブ、容易に運搬されるゴルフクラブ、及びそのようなゴルフクラブの構成要素を持ち運ぶためのゴルフバッグを含むゴルフクラブシステムに関する。
【背景技術】
【０００３】
ゴルフクラブのフルサイズセットは、その重量及び嵩のために、それの運搬がゴルファーにとってかなりの問題である。例えば、ゴルフクラブのフルサイズセット１つであっても車に収めるのがしばしば困難であったり不可能であったりする。この問題は、ゴルフクラブフルサイズセットをフライトケース又は旅行バッグとともに取り扱わなければならない飛行機旅行において、より悪化する。例えば、ゴルフクラブフルサイズセットを飛行機での運搬のために硬質シェル製フライトケースに入れると、硬質シェルのフライトケースの嵩の大きさは言うまでもなく、トータル重量が、フライトケースなしでのゴルフクラブフルサイズセットの重量の２倍になる可能性がある。軟質シェル製フライトケースは、重量及び嵩に関して、硬質シェル製フライトケースに比べて幾らかの改善がされる。しかし、軟質シェル製フライトケースは、ゴルフクラブを、荷を扱う人の変動(vagaries）に晒す可能性がある。
【０００４】
これらの問題にもかかわらず、ゴルファーは、遠隔の目的地においてクラブセットをレンタルする費用の高さから、自身のゴルフクラブを持って旅行しようと努力する。このような努力をしても、多くの場合に、荷物の寸法超過又は重量超過に係る出費などのような高額な付加費用を伴う。しかし、出費が唯一の考慮事項ではない。概して、目的地において利用可能なレンタルのゴルフクラブセットの質は、ばらつきが大きく、多くの場合にゴルファー個人のゴルフクラブセット（複数の場合もあり）に劣る。高い質のレンタルのゴルフクラブセットが利用可能である場合であっても、多くのゴルファーは、自身のゴルフクラブセットの個人的な感覚及び快適レベルを発展させているため、レンタルのゴルフクラブセットの使用を避ける。例えば、経験豊かなゴルファーは、少なくとも、自身のクラブを使用することによって感じられる利点を得ることが良いとする場合がある。したがって、高い質のレンタル又はデモクラブのセット（複数の場合もあり）が利用可能であっても、特定のゴルファーのニーズ及び／又は要求を満たさない場合がある。
【０００５】
ゴルフクラブフルサイズセットを運搬することは他の問題を生じる。ゴルファーは、ゴルフクラブフルサイズセットを収納する十分なスペースを、自身の車のトランクまたは自身の家に確保することが困難であることがある。例えば、シボレーコルベット等の幾つかの一般的なスポーツカーは、そのトランクにゴルフクラブフルサイズセットを１つでさえ収容できない。なお、ここで述べているゴルフクラブフルサイズセットとは、ゴルフクラブセット中の各クラブヘッドが、ゴルフクラブのハンドル又はグリップエンドの在るシャフトに着脱可能でなく且つ固定して取り付けられているものを指す。多くのより小さい車両のトランクは２セット以上のゴルフクラブを収納することが困難である。このトランクスペースの問題は、上述した硬質シェル製フライトケースが関与する場合、更に深刻化する。
【０００６】
トランクスペースの問題とは別に、ゴルフクラブフルサイズセットは重い。その結果、多くの若いプレーヤー及び多くの高齢者プレーヤーは、ゴルフクラブフルサイズセットの持ち上げ及び／又は持ち運びに苦労する。
【０００７】
従来のゴルフクラブに関連する別の問題は、ゴルフのゲームを習っている子供が、自身の成長とともに異なる長さのシャフトを有するクラブを必要とすることである。結果として、従来のクラブの場合、子供の成長に対応するように新たなゴルフクラブセットが必要となる。
【０００８】
最後に、ゴルフクラブは現在、販売プロセスの一部としてフィッティング付きで販売されている。特定のクラブヘッドのシャフトの長さ、硬さ及びグリップの全ての種々の順列及び組み合わせが、このフィッティングセッションの間に顧客に利用可能である。顧客のフィッティングに利用可能な全てのこれらの順列及び組み合わせを有するクラブの在庫を揃えて維持することは、不可能なことでないにしても、手に負えないことである。
【発明の概要】
【発明が解決しようとする課題】
【０００９】
したがって、必要とされているのは、ゴルフクラブのプレー物理特性及び他の望ましい特徴を保ちながらも、従来のゴルフクラブセットよりも嵩及び重量を低減する方法である。
【課題を解決するための手段】
【００１０】
本発明の実施形態は、コンパクトで使いやすいゴルフクラブのセットを導入することによって、ゴルフクラブのプレー物理特性及び他の望ましい特徴を保ちながらも、従来のゴルフクラブフルサイズセットよりも嵩及び重量を低減する。一実施形態では、サイズ及び重量の低減は、グリップを含む１本のみの又は数本のゴルフクラブシャフト部分（又はアセンブリ）と、ゴルフクラブヘッドを含むフルセットのクラブヘッド部分（又はアセンブリ）とを有することによって達成される。カップラーを使用して各ゴルフクラブヘッド部分をいずれか一つのゴルフクラブシャフト部分に連結してゴルフクラブを形成することができる。ゴルフクラブヘッド部分は容易に着脱可能であり、ある一つのゴルフクラブシャフト部分に取り付けるゴルフクラブヘッド部分を変更できる。ゴルフクラブの各部分は従来のゴルフクラブよりも短く、１本のみ又は数本のゴルフクラブシャフト部分しか必要としないため、従来のゴルフクラブセットよりも重量及び嵩を大きく低減し、これによって、実施形態に係るゴルフクラブセットは可搬性がかなり改善されている。
【００１１】
可搬性を高めるという利点に加えて、任意の特定のクラブヘッドに取り付けるシャフトを幾つかのシャフトの中から選択することも可能である。シャフトは硬さ又は屈曲がかなり異なるため、性能調整の新たな次元を含むようにゴルフゲームを拡大することができる。実施形態は、全てのクラブヘッドを、目前のプレー状況に合わせて最良のシャフトに適合させることを可能にすることができる。
【００１２】
実施形態は、本発明の実施形態に係るゴルフクラブセットを運搬し、コースにおけるプレーを容易にするように設計されているゴルフバッグを含むことができる。一実施形態では、ゴルフバッグは、ゴルフクラブの使用、収納及び旅行の全体的なシステムの一体部分である。システムが標準的な航空会社の手荷物用に十分に小さいか又は機内持ち込み用バッグとしてなおより小さいことを可能にするゴルフバッグが記載される。
【００１３】
一実施形態では、ゴルフクラブシャフト部分を２つのセグメントに更に分割することを可能にすることでシャフトのセグメントの長さを更に短くすることを可能にし、ゴルフクラブの機内持ち込みサイズのバッグのバージョンを可能にするように、第２のカップラーが含まれる。そのようなゴルフクラブセットは、機内持ち込み用バッグの手荷物の最大高さ制限、２２インチ、に適合する。使用時に、この第２のカップラーは、ゴルフセッションの開始時に、そのゴルフセッションがフィッティングであるか、ラウンドであるか又は他のゴルフセッションであるかにかかわらず、一度組み立てられる。したがって、一実施形態では、第２のカップラーにねじを切ることができ、これはより時間のかかる組み立てであり得る。
【００１４】
一実施形態では、ゴルフバッグは、ストラップによって肩にかけられる「ウォーキング」又はコースバッグとして機能し、地面に置いたときには延在する脚部によって支えられることができる。一実施形態では、クラブヘッドは、片手の操作でバッグから選択して取り出されるか又はバッグに戻されることができる。一実施形態では、クリップによってバッグの縫い付けられたポケットの適所にクラブヘッドをしっかりと保持する。一実施形態では、クリップは耐久性のある可撓性のプラスチックから作られる。一実施形態に係るバッグは、その「縫い合わせる準備が整った（sewing ready）」設計によって製造が安価である。別の実施形態では、ゴルフバッグはハンドルによって持ち運ぶことができる。また別の実施形態は、ゴルフバッグを、ゴルフカートの後部の支持バーに取り付けられる「カート」バッグとして使用することを可能にする。
【００１５】
別の実施形態では、ゴルフバッグは、ゴルフ練習場又は他の練習設備において練習するために旅行又はドライブ用に構成されている。そのような実施形態に係るゴルフバッグは、脚部で自立するように構成されており、画像、ビデオ及び音声を表示するタブレットコンピューター等のコンピューティング装置を保持するためにポーチを含む。表示装置を使用して、インストラクション及び／又はサポートゲーミフィケーションを提供することができる。一実施形態では、ゴルフバッグ及び構成要素は、記憶及び分析のためにスイング運動を記録するようにカメラをバッグ内に配置及び位置決めすることを可能にする。
【００１６】
他の実施形態は、スイング運動感知システム、ＧＰＳシステム、ゴルフクラブの番号付け及び識別システム、ウェブコンテンツディスプレイ及びアプリケーション、並びに、ゲーミフィケーションソフトウェア戦略を有する、実施形態に係る相互作用をするゴルフクラブセットを含む。
【００１７】
一実施形態では、ゴルフクラブシャフトハンドルをゴルフクラブヘッドに嵌合させるカップリングであって、ゴルフクラブシャフトのハンドル端に嵌まるように適合されている第１のピン、ゴルフクラブシャフトのクラブヘッド端に嵌まるように適合されている第２のピン、並びに、第１のピン及び第２のピンのうちの一方に取り付け固定されるカップリングスリーブであって、第１のピン及び第２のピンのうちの他方に更に可逆的に取り付け可能であり、カップラーがゴルフクラブにおいて使用されるときにゴルフクラブシャフトハンドルをゴルフクラブヘッドに嵌合することを可能にする、カップリングスリーブを備える、カップリングが達成される。
【００１８】
本発明の更なる特徴及び実施形態は、本発明の以下の詳細な説明を考慮して明らかとなるであろう。
【００１９】
[図面の簡単な説明]
図１は、接続するためのカップラー構成要素が嵌められるグリップ及びヘッドを有するシャフトを示す図である。
図２は、分離された本発明の例示的な実施形態に係るプルバックスリーブを示す図である。
図３は、図２のカップラーの線３−３を通る断面図である。
図４は、クラブヘッドをシャフトに組み付けたときに、シャフトに対するクラブヘッドの回転運動を制限するロック機構を示す、本発明の例示的な実施形態に係るカップラーの断面図である。
図５Ａ、５Ｂおよび５Ｃは、本発明の好ましい実施形態に係るロック機構の圧入されるスプリングピンリテイーナーを有するシャフトカップラーインサートの３面図である。
図６は、カップラー内で使用されるスプリングを示す図である。
図７は、動作中にタイルカップル及びピンをロックする第２のボールベアリングセットを有するカップラーの別の例示的な実施形態を示す図である。
図８は、本発明の一実施形態に係るゴルフバッグ内の着脱可能なゴルフクラブヘッドの例示的な収納を示す図である。
図９は、ダッフル及び剛性フレーム構造を有する本発明の一実施形態に係るゴルフバッグを示す図である。
図９Ａは、本発明の一実施形態に係るゴルフバッグを使用するための別の剛性フレーム構造を示す図である。
図１０は、一実施形態に係るゴルフバッグの側面透視図である。
図１１は、図９のダッフルの内部の透視図である。
図１２は、本発明の一実施形態に係るダッフルを有するゴルフバッグの後面透視図である。
図１３Ａ、１３Ｂ、および１３Ｃは、本発明の一実施形態に係るコースバッグの背面面図、正面図、および側面図である。
図１４は、本発明の一実施形態に係るコースバッグ１３０１の内部構造を示す図である。
図１５は、本発明の一実施形態に係るコースバッグ１３０１内のループサイズ決めストラップ１４０２及びスラッシュポケットの更なる細部を示す図である。
図１６は、本発明の一実施形態に係る、コースバッグに構造を付加するのに使用することができる内部剛性パネルを示す図である。
図１７は、本発明の一実施形態に係る、クラブシャフトセグメントを定位置に保持するのに使用されるクリップを係留するクリップアセンブリの細部を示す図である。
図１７Ａ〜１７Ｆは、本発明の一実施形態に係るクリップアセンブリを示す図である。
図１９Ａ、および１９Ｂは、本発明の一実施形態に係る、組み付けられていない形態のシャフトの長さを短縮するのに使用されるねじ式カップラーの細部を示す図である。
図２０は、本発明の一実施形態に係る、シャフトのハンドル内の定位置にある図１９Ａ〜１９Ｃのねじ式カップラーの断面図である。
図２０Ａ〜２０Ｇは、本発明の一実施形態に係るカップラーを示す図である。
図２０Ｈ１〜２０Ｈ９は、本発明の一実施形態に係るグリップ端フィッティングを示す図である。
図２０Ｉ１〜２０Ｉ５は、本発明の一実施形態に係るカップラー本体を示す図である。
図２０Ｊ１〜２０Ｊ３は、本発明の一実施形態に係る回転防止ピンを示す図である。
図２０Ｋ１〜２０Ｋ１０は、本発明の一実施形態に係る回転防止ピンを示す図である。
図２０Ｌ１〜２０Ｌ５は、本発明の一実施形態に係る回転防止ピンを示す図である。
図２０Ｍ１〜２０Ｍ５は、本発明の一実施形態に係る回転防止ピンを示す図である。
図２０Ｎ１〜２０Ｎ５は、本発明の一実施形態に係る回転防止ピンを示す図である。
図２０Ｏ１〜２０Ｏ３は、本発明の一実施形態に係る回転防止ピンを示す図である。
図２１は、本発明の一実施形態に係る、図１９Ａ〜１９Ｃ及び２０のねじ式カップラー並びに図２のカップラーの双方を有する完成したクラブを示す図である。
図２２は、本発明の一実施形態に係る機内持ち込み用バッグの透視図である。
図２３は、本発明の一実施形態に係る機内持ち込み用バッグの側面透視図である。
図２４Ａ、および２４Ｂは、本発明の一実施形態に係る３つ折りパネルインサートの細部を示す図である。
図２５Ａ、および２５Ｂは、本発明の一実施形態に係る３つ折りパネルの補強スリーブの後面図である。
図２６は、本発明の一実施形態に係る機内持ち込み用バッグ内で折り畳まれて配置された３つ折りパネルインサートを示す図である。
図２７は、本発明の一実施形態に係るパターシャフトのスリーブ支持体を有する標準的なゴルフバッグを示す図である。
図２８は、本発明の一実施形態に係る長尺のパターシャフト及びヘッドのスリーブ支持体を有する標準的なゴルフバッグを示す図である。
図２９は、幾つかのヘッドのサイドバッグ支持体を有する標準的なゴルフバッグを示す図である。
図３０は、一実施形態に係る、バックパックとして構成されたゴルフバッグの側面透視図及び後面透視図である。
図３１は、本発明の一実施形態に係る、バックパックとして構成されたゴルフバッグの内部の図である。
図３２は、本発明の一実施形態に係るゴルフクラブの使用に関連するデータを収集するシステムを示す図である。
図３３は、本発明の一実施形態に係る、プレー、練習及び／又はゲーミフィケーションにおいて使用されるゴルフ関連データを収集する例示的なシステムの概略図である。
図３４Ａ〜３４Ｆは、本発明の別の実施形態に係る、ゴルフクラブセットを収納及び運搬するゴルフバッグの一実施形態を示す図である。
図３５Ａ〜３５Ｃは、本発明の一実施形態に係る、ゴルフバッグの支持スタンドを提供する伸縮式の脚部オプションを示す図である。
図３６は、本発明の一実施形態に係る取り外し可能なコンピュータータブレットポーチパネルを示す図である。
図３７は、本発明の別の実施形態に係る取り外し可能なコンピュータータブレットポーチパネルを示す図である。
図３８Ａ〜３８Ｃは、本発明の一実施形態に係る拡張可能なサイドパネルを示す図である。
図３９は、一実施形態における、本発明の一実施形態に係るゴルフバッグの上部に縫い付けられるハンドル３９０２を示す図である。
図４０は、本発明の一実施形態に係る１つ以上のゴルフティーを収納するように構成されているストラップを示す図である。
【発明を実施するための形態】
【００２０】
図１は、ゴルフクラブ１０を形成するように嵌合される、一実施形態に係るゴルフクラブ１０の構成要素を示している。ゴルフクラブ１０は、ゴルフクラブシャフト部分１０３及びゴルフクラブヘッド部分５０１を備える。ゴルフクラブシャフト部分１０３は、本明細書では、ゴルフクラブシャフトアセンブリ又はシャフトアセンブリとも称される。ゴルフクラブヘッド部分５０１は、本明細書では、ゴルフクラブヘッドアセンブリ又はヘッドアセンブリとも称される。図１に示されているように、ゴルフクラブシャフト部分１０３及びゴルフクラブヘッド部分５０１は、互いに嵌合するように位置決めされる。ゴルフクラブシャフト部分１０３は、ハンドルシャフトセグメント１００、グリップ１０１、及びカップラーハウジング２００を有するカップラーを含む。一実施形態では、グリップ１０１はハンドルシャフトセグメント１００に取り付けられる。ゴルフクラブヘッド部分５０１は、ゴルフクラブヘッド５００、ゴルフクラブヘッドインサートシース５０４、ヘッドシャフトセグメント１０２、カップラー柄リング１１４及びヘッド連結ピン１０６を含む。図１に示されているように、ゴルフクラブヘッド部分５０１はゴルフクラブシャフト部分１０３から着脱可能である。実施形態において使用されるカップラーハウジング２００等のカップラーハウジング及び連結ヘッドピン１０６等の連結ヘッダピンを含む例示的なカップラーが、２０１３年１１月１８日に出願された米国特許出願第１４／０８３，２５３号、２０１１年１２月２３日に出願された米国特許第８，５８５，５１２号、２００９年１１月１６日に出願された米国特許第８，０８３，６０６号、及び、２００５年９月２９日に出願された米国特許第７，６１８，３２９号（これらはそれぞれ参照によりその全体が本明細書に援用される）に記載されている。
【００２１】
一実施形態では、ハンドルシャフトセグメント１００は、標準的なフルサイズのシャフトから切り取られ、一般的にパターである従来のフルサイズのゴルフクラブセットにおける最短のクラブ長に対応するようなサイズにされる。代替的には、ハンドルシャフトセグメント１００は、標準的なフルサイズのシャフトから或るサイズに切り取られるのではなく、所望の長さに製造される。一実施形態では、ハンドルシャフトセグメント１００はグリップ（又はハンドル）１０１を含む。
【００２２】
ゴルフクラブヘッド部分５０１は、ゴルフクラブ１０を形成するようにゴルフクラブシャフト部分１０３に嵌合するように設計されている。一実施形態では、ゴルフクラブヘッド部分５０１は、クラブシャフトインサートシース５０４とヘッド連結ピン１０６との間にヘッドシャフトセグメント１０２を含む。一実施形態では、ヘッドシャフトセグメント１０３は、ゴルフクラブシャフト部分１０３よりも長さが短い。使用時に、ゴルフクラブの連結ピン１０６はシャフトのカップラー部分２００に挿入され、ゴルフクラブ１０を形成する。代替的な実施形態では、カップラー部分１０６はハンドルシャフトセグメント１００に接続固定され、カップラーハウジング２００はゴルフクラブヘッド部分５０１に接続固定される。
【００２３】
従来のゴルフクラブセットでは、ハンドルシャフトセグメント１００の長さはクラブ毎に変わり得る。その結果、従来のゴルフクラブセットでは、ハンドルシャフトセグメント１００の長さは、ゴルフクラブセット内の各特定のゴルフクラブの長さを最適化するように設定することができる。例えば、ウッド又はロングアイアン等の長いゴルフクラブは通常、ショートアイアン、ウェッジ及び／又はパター（ゴルファーによっては長いシャフト長を有するパターを好むことがあるが）よりも全体的に長いシャフトを有する。
【００２４】
本発明の一実施形態に係るゴルフクラブセットでは、ハンドルシャフトセグメント１００の長さは一定であるものとすることができ、一方で、ヘッドシャフトセグメント１０２の長さは、どのゴルフクラブヘッド５００がヘッドシャフトセグメント１０２に取り付けられるかに応じて、特定のゴルフクラブの長さを最適化するように変えることが可能である。例えば、ゴルフクラブヘッド５００がドライバーである場合、ヘッドシャフトセグメント１０２をより長くすることができ、一方で、ゴルフクラブヘッド５００がアイアンである場合、ヘッドシャフトセグメント１０２をより短くすることができる。各場合に、嵌合後のゴルフクラブの全長は、従来のゴルフクラブフルサイズセットにおける対応するゴルフクラブと同じである。しかし、２つの部分を分離させると、ゴルフクラブシャフト部分１０３及びゴルフクラブヘッド部分５０１は、従来のフルサイズのゴルフクラブよりも短い長さをそれぞれ有する。
【００２５】
一実施形態では、カップラーハウジング２００は、カップラー本体のトラックとカップラーのプルバックスリーブのトラックとの間に押し込まれる一セットのボールベアリングを含む。プルバックスリーブを張力から解放し且つ横方向に動かすと、クラブヘッドの取り付けられるヘッド連結ピン１０６を挿入できるようになる。挿入されると、プルバックスリーブ上の張力を解放することによって、力がヘッド連結ピン１０６の平坦な表面に加わる。この力が、ヘッド連結ピン１０６の円錐面を引っ張って、カップラーハウジング２００内の相方の円錐シース面に接触させる。これらの２つの円錐面は、比較的簡単かつ安価に製造することができ、直線的な円筒設計の機械加工の許容差の問題の多くが生じない。
【００２６】
一実施形態では、カップラー２００は、内側ハウジング及びプルバックスリーブを含み、それによって、プルバックスリーブを内側ハウジングに対して移動可能にし、ップラー内の１つ以上の第１ボールベアリングの移動を可能にする。これによって、第１プルバックスリーブ位置では、第１シャフトセグメント及び第２シャフトセグメントを嵌合しているときにボールベアリングが挿入ピンの挿入を可能にし、第２プルバックスリーブ位置では、ボールベアリングが挿入ピンを軸方向の定位置に保持し、第１シャフトセグメントを第２シャフトセグメントに可逆的に固定する。
【００２７】
図２は、分離された本発明の例示的な実施形態に係るプルバックスリーブを示している。図３は、一実施形態に係るシャフトカップラーハウジング２００とヘッド連結ピン１０６との例示的な嵌合を示す、図２のカップラーの線３−３を通る断面図である。図３に示されているように、一実施形態では、ハンドルシャフトセグメント１００は挿入ピン１０８を介してカップラーハウジング２００に取り付けられる。一実施形態では、挿入ピン１０８は押圧されてシャフト内に接着される。カップラーハウジング２００をハンドルシャフトセグメント１００に固着させる他の態様は当業者に明らかであろう。
【００２８】
最近のクラブシャフトは多くの場合に、それらの内径がシャフトの長さに沿って変わり、ハンドルからの距離が増すにつれて小さくなるようにテーパー状である。クラブの長さは特定のプレーヤーの好みに合うように調整することができるが、概して、たいていのプレーヤーのクラブの長さは通常、プレーヤーの腕の長さ及び身長に基づき、概ねゴルファー毎に６インチ未満変わる。６インチのセクションにわたるシャフトの直径の差は通常は大きくないため、一実施形態では、挿入ピン１０８の直径はシャフト１００の最小径に合うように設定される。これは、例えば、身長が最も高いプレーヤー用の最長のクラブに対応する。別の実施形態では、挿入ピン１０８の直径は、平均的な人に使用されるシャフト長を有するゴルフクラブシャフトの内径に合うように最適に選択される。別の実施形態では、挿入ピン１０８の直径はプレーヤーのスペックにあわせて特別に適合される。
【００２９】
一実施形態では、挿入ピン１０８は、固定されるカップラーハウジング２００を受け入れるようにねじ端１０８ａを含む。このねじは好ましくは、右利きのプレーヤーには反時計回りであり、左利きのプレーヤーには時計回りである。利き手に基づく異なるねじ切り方向の所望は、一部には、シャフトの周りで左利き及び右利きのゴルファーによって生成される反対のトルク／捩りに起因する。すなわち、使用時に、この方向を有するねじ切りは、プレーヤーがゴルフボールを打つときに挿入ピン１０８とカップラーハウジング２００との連結部を締め付ける傾向にある。カップラーハウジング２００は、ピン１０８のねじ端１０８ａに適切に合致する雌ねじを有する。カップラーハウジング２００は、当該技術分野において既知の他の方法で、例えばエポキシを用いて、シャフト１００に固着させることもできる。
【００３０】
図３に示されているように、カップラーハウジング２００は幾つかの特徴を有する。カップラーハウジング２００は、クラブヘッド５００に固着されるヘッド連結ピン１０６の合致する円錐面１０６ａに嵌合する円錐部分２０４を有する。加えて、一実施形態では、カップラーハウジング２００は、ボールベアリング３００を定位置に保持するように複数のボールベアリングガイド穴２０６を有する。図３は、１つのみのそのようなガイド穴２０６及びボールベアリングを示している。しかし、他のガイド穴２０６及びボールベアリング３００を外周の周りに位置付けてもよい。例えば、一実施形態では、カップラーハウジング２０２の外周の周りに位置付けられる３つの等間隔に離間したガイド穴２０６がある。
【００３１】
図４は、クラブヘッドがシャフトに組み付けられるときにシャフトに対するクラブヘッドの回転運動を制限するロック機構を示す、本発明の例示的な実施形態に係るカップラーの断面図である。図２及び図４に示されているように、一実施形態では、カップラーハウジング２００は、連結ピン１０６に取り付けられるアライメントピン１２０にクロッキング（clocking）フィットを提供するノッチ２０８を含む。アライメントピン１２０及びノッチ２０８は、シャフトのハンドルが、取り付けられる任意のクラブヘッドと同じように常に並ぶことを確実にする。別のピン１１０が、カップラーハウジング２００の側面に圧入され、プルバックスリーブ２０２の「Ｌ」字形のガイドへのクロッキングを提供する。
【００３２】
一実施形態では、ヘッド連結ピン１０６は、前述したようにヘッドシャフトセグメント１０２に挿入されて接着されるか、又は、別様に固着される。上述したように、ヘッドシャフトセグメント１０２は、取り付けられるクラブヘッドに応じて長さを大幅に変えることができる。したがって、ヘッドシャフトセグメント１０２の長さに沿うテーパー形状に起因して、ヘッドシャフトセグメント１０２の内径は、クラブヘッド毎に大幅に変わり得る。ハンドルシャフトセグメント１００の場合とは異なり、このように変わることは、種々の直径のヘッド連結ピン１０６を必要とするのに十分であり得る。これは、例えば、製造業者がヘッドシャフトセグメント１０２の内径を単に標準化することができるなどの他の実施形態では、必要であることもあるし、必要でないこともある。本明細書において記載される設計は、多様性を有する容易に利用可能なクラブ構成要素の変更に依拠する。
【００３３】
図５Ａ、図５Ｂ及び図５Ｃは、本発明の好ましい実施形態に係る、ロック機構のためにスプリングピンリテーナー２１０に圧入されるシャフトカップラーインサートの３つの図を示している。図６は、カップラーハウジング２００内で使用されるスプリング４００を示している。一実施形態では、カップラーハウジング２００は、スプリング４００に対する捩りを保持するように圧入ピン２１０を含む。図５Ａ、図５Ｂ及び図５Ｃに示されているように、ピン２１０及び穴２１４は、ロック機構の動作に捩り力を提供するようにスプリング４００を引っ張った位置で保持するように一緒に働く。ピン２１０はスプリング４００のベースをくさびで留め、穴２１４はスプリング４００の端の短い鉛直セクション４０２を受け入れる。スプリング４００は組み立て中にラッチするように捩られる。この捩りは、カップラーハウジング２００を常にロック位置に維持する。動作時に、プルバックスリーブ２０２を、ヘッドから引き出すためには、ゴルファーによって捩って引き戻さなければならない。連結ピンが取り出されると、ピン１１０が摺動して保持エリア２１２に入り、別のヘッドの別の連結ピン１０６が挿入されるまでピン１１０を定位置に保持する。これは、カップラーの自動的なロックを可能にしながらもクラブを挿入するとともに取り出す必要がある手の動きを簡略化する。
【００３４】
ヘッド連結ピン１０６は、前述したようにロック嵌めのために圧入ピン１２０を有する。他の種類のピンを使用することができるが、ここでの及び本発明の他の箇所での圧入ピンの使用は、製造のコスト及び複雑さを低減するため好ましい。
【００３５】
一実施形態では、プルバックスリーブ２０２は、手による操作のために把持を容易にする刻み目付きの面２３０を有する。これは、刻み目付きの面として示されているが、スリーブが手でカップラーハウジング２００を把持するユーザーによって移動可能である限り、平滑であることを含め任意の表面テクスチャーであるものとすることができる。一実施形態では、プルバックスリーブ２０２は、操作中の種々の時点で引かれて回転する。プルバックスリーブ２０２は、「遊び」なしにカップラーを保持するのを助ける幾つかの表面を有する。連結ピン１０６の端の円錐面又は丸みを帯びた面は、容易な挿入を可能にするように徐々に傾斜している。この丸みを帯びた端面は、挿入中にボールベアリング（複数の場合もあり）３００を押圧する。ボールベアリング（複数の場合もあり）３００は、プルバックスリーブ２０２の面２１６を交互に押す。挿入の力は、ボールベアリングの角度及び回転によって、スプリング４００に対するプルバックスリーブ２０２の動きに変換される。
【００３６】
挿入中に、操作者は、親指及び人差し指を用いてプルバックスリーブ２０２をシャフト（ハンドル端）に向かって引く。これによってボールベアリング３００が面２１６から離れ、ボールベアリング３００がヘッド連結ピン１０６のノーズを通過することを可能にすることで、位置決めすることができる。ボールベアリング３００は、ヘッド連結ピン１０６上のノーズ面の頂点を通過すると、「落下」して面１１８に接触する。これが生じると、プルバックスリーブ２０２が解放されて、連結ピン柄リング１１４に近づけて静止させることができる。この位置で、クロッキングピン１２０はノッチ２０８内で静止し、ボールベアリング（複数の場合もあり）３００は面１１６及び２１６に接触する。
【００３７】
プルバックスリーブ２０２がクラブヘッド５００から離れる方向に移動すると、ロックピン１１０はノッチ２１２から外れる。これが生じると、スプリング４００の捩り力によって、ピン１１０が摺動してチャネル２１２ａに入るまでスリーブ２０２を回転させる。ピン１０６がカップラーハウジング２００に更に押し込まれると、プルバックスリーブ２０２は、クラブヘッド５００から更に離れるように移動し続ける。これは、スリーブ２０２とヘッド連結ピン１０６の「柄」領域１１４との間の増大する隙間として見える。ボールベアリング（複数の場合もあり）３００は、面１１６の頂点を通過すると、「落下」して面２１６に接触する。これが生じると、スリーブ２０２は方向を変え、連結ピン柄リング１１４に近づいて静止する。この位置では、ロックピン１２０はノッチ２０８内で静止し、ボールベアリング（複数の場合もあり）３００は面１１６及び２１６に接触する。
【００３８】
面１１６の角度は、ボールベアリング（複数の場合もあり）３００が「上り」、したがって分離することを可能にするほど十分に力を大きくするほど十分に急勾配である。静的条件下では、この分離を生じさせるのに必要な力は、ゴルフクラブの操作において見られる力を優に超えている。しかし、面２１６の角度は、あまりにも急勾配であるためプルバックスリーブ２０２がユーザーによって操作されるときに手で分離することができないものであってはならない。例えば、１つの実施形態では、面２１６の角度は約１２度である。
【００３９】
意図しない分離を生じる可能性がある「上ること」を助ける振動のこの可能性を考慮するために、一実施形態では、ピン１１０を使用する上述した捩りロック機構を用いる。しかし、ロック機構は、本発明の実施形態に係る交換可能なヘッドを有するゴルフクラブの操作又は製造には必須ではない。
【００４０】
その上、他のロック機構、例えばピン１１０をロックするボールベアリングの使用を、動作中の十分なロックを確実にするために本発明の実施形態において使用することができる。本明細書において記載される機構は、カップラーの手動による操作を簡単にするために好ましい。
【００４１】
図７は、別の実施形態に係る、ボールベアリング１３００によって定位置に挿入及び保持され、軸受１３５０によってロックされるピン１１０６を有するカップラー１２００を示している。軸受１３５０は穴１２２６によってカップラー１２０２内に保持される。（軸受１３００と同様に）１２０度離れた向きの３つの軸受１３５０がある。これらの軸受がピン１１０６の面１１４０とプルバックスリーブ１２０２の面１２４０との間にあるとき、カップラー１２００はロックされ、手動による操作のみによって解除することができる。これを可視化するために、ボールベアリング１３００の上り面１２０６を想像し、したがって、プルバックスリーブ１２０２をシャフト１００（図７には示さず）に向かって移動させることができる。これは、ピン１１０６が分離し始めることを可能にする。ボールベアリング１３５０は次に、面１１４２に対してくさび留めし、面１１４２はこの動きの方向に対して垂直である。面１１４０、１１４２及び１２４０の組み合わせは、ボールベアリング１３５０によって満たされる或る種の箱を形成し、したがって分離を防止する。
【００４２】
手動による分離は、操作者がプルバックスリーブ１２０２をスプリング１４００に対して移動させてボールベアリング１３５０を面１２５０に位置決めするため、可能である。この位置では、ボールベアリング１３５０は連結ピン１１０６の経路から外れることができ、取り出しを行うことができる。挿入は同様に、但し逆に行われる。
【００４３】
分かるように、一実施形態では、カップラーは、２つの接触点を有し、ピンをより堅く嵌めるように３つの略接触する点がカップラーに設計される。接触エリアは、ボールベアリングのレース及び円錐セクションである。略接触するエリアは、ピンの端、ピンおよび回転防止ピンのベース、ならびにスロットである。略接触する３つのエリアの組み込みによって、密な知覚的な嵌めの特徴、及び、ピンを依然として取り外してコネクターに再び挿入する能力をもたらす。これらの略嵌まるエリアは、スプリングの張力によってしっかりと保持されない領域であるように設計される。これらのエリアにおける嵌めは、一実施形態では、約０．００１インチの隙間を含む。隙間は実施態様に応じてより大きい場合がある。記載したこれらのエリアと嵌める設計の組み合わせによって、許容可能な知覚的な感覚のある低コストで製造可能な製品がもたらされる。
【００４４】
本発明の一実施形態に係るゴルフクラブシステムは、従来のゴルフバッグとともに使用されるのに必ずしも好適ではなく、これは、従来のゴルフバッグは、それ自身のシャフト及び着脱可能ではないゴルフクラブヘッドをそれぞれ有する複数のゴルフクラブ、すなわちゴルフクラブフルサイズセットを持ち運ぶように設計されているためである。したがって、実施形態において存在し得る種々のヘッド及びシャフト（複数の場合もあり）を持ち運ぶための新たなバッグの設計が望ましい。
【００４５】
例示的なゴルフバッグは、１つ以上のシャフトを保持する布ループ及び弾性ストラップ、並びに、複数のクラブヘッドのそれぞれを収容する複数の作り付けのコンパートメントを有するコンパートメントを備える。ゴルフバッグの多様性は、物理的なスペースの要件及びゴルファーが必要とする性能に応じて変えることができる。ゴルフバッグの１つの実施形態は、チェックされる手荷物のサイズであり得る。この実施形態は、シャフトのハンドルが１つしかカップラーを有しないため、最良の能力に好都合である。このバッグは、荷物の扱いによる損傷からバッグを保護し、小旅行のための所持品及び衣類の広々としたスペースを提供するダッフル内に入れて持ち運ばれることができる。バッグの別の実施形態は、機内持ち込み手荷物のサイズであり得る。一実施形態では、このバッグは、展開してストラップを介してゴルフカートの後部の支持バーに取り付けられる折り畳みパネルを含む。
【００４６】
実施形態に係るゴルフバッグのサイズ及び重量は、標準的なゴルフバッグよりもはるかに小さい。その上、実施形態に係るゴルフバッグの形態は、様々なユーザーにとって魅力があり、様々なプレー環境又は練習環境において機能する。
【００４７】
バッグの設計は大きく変わり得るが、ゴルフバッグの形態のそれぞれは幾つかの共通の特徴を共有する。例えば、ゴルフバッグのサイズは、ゴルフクラブセット内の最長のゴルフクラブシャフトセグメント１０３によって決まる。その上、ゴルフバッグの形態のそれぞれは、ゴルフクラブヘッドを同様に収納することができる。
【００４８】
図８は、一実施形態に係るゴルフバッグ内の着脱可能なゴルフクラブヘッド８０２の例示的な収納を示している。ストラップポーチ８０６がゴルフバッグの内張りに縫い付けられ、着脱可能なゴルフクラブヘッド８０２を縫い付けアンカー８０８において保持する。一実施形態では、内張りは、図１６に関して以下で記載する剛性の裏当てパネル１６０２を覆う。着脱可能なゴルフクラブヘッド８０２の移動を防止するために、ゴルフヘッドシャフトセグメント１０２は、クリップ８０４によって適所に保持される。クリップ８０４及びストラップポーチ７４０は、着脱可能なゴルフクラブヘッド８０２を定位置に保持するように一緒に働く。その上、この構成は、片手の操作、すなわち、着脱可能なゴルフクラブヘッド８０２を取り外してその収納位置に戻すことを可能にする。
【００４９】
他の材料を使用してクラブを収納することができる。さらに、他の物理的な向きを選択してスペースの使用及び／又はクラブのアクセスの容易さを最適化することができる。例えば、バッグ内のクラブの別の向きは、各着脱可能なクラブヘッド８０２を、連結ピン１０６の端が露出された状態で発泡体に入れたままにすることができる。そのような向きは、ヘッドがバッグによって保持されている間にユーザーがカップラーハウジング２００を連結ピン１０６に対して押圧し、連結を行うことを可能にする。次に、連結されると、組み立てられたクラブをユーザーが取り出すことができる。
【００５０】
図９、図９Ａ及び図１０〜図１２を参照すると、一実施形態では、クラブを保持するバッグは、ダッフルバッグと対になってゴルフバッグ９０２を形成する。一実施形態では、ゴルフバッグ９０２は、標準的な手荷物の仕様に適合される。ダッフルバッグは、ゴルフバッグ９０２の上に保護層を追加する。ゴルフバッグ９０２は、車輪９０４、剛性フレーム９０１、直立支持するための足９０６及び９０８、並びに、持ち上げて運ぶためのストラップ９１０も有することができる。図９に示されているように、剛性フレーム構造９０１は、車輪９０４の穴又はスロット９１２を有する。図９Ａは、車輪９０４の切欠き部を有する剛性フレーム構造９０１の別の実施形態を示している。一実施形態では、剛性フレーム構造９０１は、ポリエチレン等のプラスチックから作られる。剛性フレーム構造９０１は、グラファイト、炭素繊維、チタン、鋼又はアルミニウム等の任意の他の好適な材料を用いて作ることもできる。
【００５１】
図１０は、一実施形態に係るゴルフバッグ９０２の側面透視図を示している。図１０を参照すると、ゴルフバッグ９０２は、転がり動作におけるような牽引のためのストラップ１００２を含むことができる。バッグの外側のゴルフバッグ９０２の付加的な特徴は、１つ以上のショルダーストラップリング１００４、水ボトルポケット１００６及び収納ポケット１００８を含む。
【００５２】
図１１は、図９のダッフルの内部の透視図である。図１１を参照すると、ゴルフバッグ９０２の内部は、収納ポケット１１０２及び１１０４並びに弾性靴ホルダー１１０８も含む。これらの特徴は例示的であり、ゴルフバッグの実施形態の付加的な特徴を示す働きをする。一実施形態によると他の特徴をゴルフバッグ９０２に含めることができる。
【００５３】
図１２は、一実施形態に係るゴルフバッグ９０２の後面透視図を示している。分かるように、一実施形態では、ゴルフバッグ９０２は車輪９０４及びストラップ９１０を含む。
【００５４】
図１３Ａ、図１３Ｂ及び図１３Ｃは、一実施形態に係る、ゴルフコースで使用されるように構成されているゴルフバッグ１３０１の後面図、正面図及び側面図をそれぞれ示している。ゴルフバッグ１３０１は、本明細書ではコースバッグ１３０１と称されることもある。図１３Ａはコースバッグ１３０１の後面図である。図１３Ｂはコースバッグ１３０１の正面図である。図１３Ｃはコースバッグ１３０１の側面図である。コースバッグ１３０１は、ゴルフコースにおける従来のゴルフ環境において有用であるようにする複数の例示的な特徴を有する。例えば、コースバッグ１３０１は、一実施形態では既知の方法で足１３０４によって操作される延在する脚部システム１３０２、延在する脚部システム１３０２を保護する格納フラップ１３０６、傘ホルダーとして働くことができる円錐ループ１３０８及び１３１０、並びに、ゴルフカートのバッグバーに締めるためのストラップ１３１２及び１３１４を含む。コースバッグ１３０１の他の特徴は、ハンドル１３１５、ショルダーストラップリング１３１６、ショルダーストラップ１３１８、ポケット１３２０、水分保護カバー１３２２及びジッパー１３２４を含む。
【００５５】
図１４は、本発明の一実施形態に係るコースバッグ１３０１の内部構造を示している。図１４に示されているように、コースバッグ１３０１は一実施形態では複数の例示的な特徴部を含む。複数のクラブヘッドストラップポーチ８０６及びクリップ８０４が、単一のクラブヘッドについて図８に関して上述したように複数のクラブヘッドを収容する。一実施形態では、コースバッグ１３０１は、ヘッドストラップポーチ１４０２及びリング１４０４等の複数の調整可能なクラブヘッドストラップポーチ、アクセサリーポケット１４０６及びボールキャディーポケット１４０８を更に含む。一実施形態では、ボールキャディーポケット１４０８は、ボールキャディーポケット１４０８の底部の剛性の布の孔１４１０において片手で小出しするための複数のゴルフボールを保持する。透明なプラスチックカバー１４１２が、ゴルファーが残りのボールの数を評価することを可能にする。ボールキャディーポケット１４０８の上部の剛性の布の上部の孔が、新たなボールをボールキャディーポケット１４０８に入れるのに使用される。アクセサリーポケット１４０６において、透明なポケットカバー１４１４がスコアカードを保持する。加えて、弾性ストラップ１４１６が縫い付けられてペン又は鉛筆を保持する。コースバッグ１３０１はポケット１４２２も含むことができる。一実施形態では、ポケット１４２２はスラッシュポケットである。弾性ストラップ１４１８及び布１４２０が、ゴルフクラブシャフト部分１０３等の１つ又は２つのゴルフクラブシャフト部分を保持する。これらのゴルフクラブシャフト部分は異なる長さを有する。所望であれば、付加的なゴルフクラブシャフト部分をゴルフバッグ１３０１に収納することができる。
【００５６】
ゴルフクラブシャフト部分１０１の長さがゴルフバッグ１３０１の最小の高さを設定するので、ゴルフバッグ１３０１の高さは従来のゴルフバッグよりも小さいものとすることができる。例えば、従来のゴルフバッグでは、最長のクラブ（例えばドライバー又は１番ウッド）がバッグの全体的な高さ、すなわち約５０インチを設定する。他方で、本発明の一実施形態では、ゴルフバッグ１３０１の高さは３６インチであるものとすることができ、従来のゴルフクラブのための従来のゴルフバッグの高さよりも申し分なく１４インチ低い。
【００５７】
ゴルフバッグ１３０１の高さを従来のゴルフバッグよりも大幅に低くすることができるだけではなく、実施形態に係るゴルフクラブヘッドをゴルフバッグ１３０１内によりコンパクトに嵌まるように積み重ねることができるため、ゴルフバッグ１３０１の幅及び深さも、従来のバッグに必要であるサイズよりもかなり小さい。これは、全ての標準的なゴルフバッグがそうである特大のバッグに対して航空会社が高い手数料を請求するため、旅行においては明らかな利点である。
【００５８】
図１５は、本発明の一実施形態に係るコースバッグ１３０１内のループサイズ決めストラップ１４０２（本明細書ではヘッドストラップポーチとも呼ばれる）、及びスラッシュポケット１４２２の更なる細部を示している。一実施形態では、ループサイズ決めストラップ１４０２は、結合部１５０６を使用してループサイズ決めストラップ１４０２に結合されるベルクロループ部分１５０２及びベルクロフック部分１５０４を含む。図１５に示されているように、調整可能なベルクロループサイズ決めストラップ１４０２及びリング１４０４は、着脱可能なゴルフクラブヘッドがしっかりと嵌まるポケットをサイズ決めすることを可能にする。操作時に、ゴルフクラブヘッドは、ゴルフクラブヘッドストラップ１４０２によって形成されるポケットに挿入され、ゴルフクラブヘッドは次にリング１４０４に挿入され、ベルクロループが、ベルクロループ部分１５０２をベルクロフック部分１５０４に固定することによって前記ヘッドを固定するように締められる。
【００５９】
図１５に示されているように、コースバッグ１３０１は、スラッシュポケット１４２２、及びアクセサリーポケット１４０６の外側に位置付けられる付加的なスラッシュポケット１５０６も含むことができる。
【００６０】
図１６は、一実施形態に係る、図１３Ａ〜図１３Ｃのコースバッグ１３０１に構造を付加するのに使用することができる内部剛性パネルを示している。図１６に示されているように、一実施形態では、ゴルフバッグ１３０１は内側剛性シェル１６０２を使用して構成される。一実施形態では、内側剛性シェル１６０２は、背板１６０４及び鉛直補強リング１６０６を含む。一実施形態では、背板１６０４は布１６０８で覆われ、鉛直補強リング１６０６は布１６１０で覆われる。内側剛性シェル１６０２は、例えばポリエチレン等のプラスチックを含む任意の好適な材料、又は、例えばアルミニウム、鋼、チタン、グラファイト及び炭素繊維を含む任意の他の好適な材料から作ることができる。
【００６１】
図１７は、例えば、図８に関して上述したような、クラブシャフトセグメントを定位置に保持するのに使用されるクリップ８０４を係留するクリップアセンブリ１７００の細部を示している。裏当てパネル１６０４は、クリップアセンブリ１７００が位置付けられる場所が穿孔される。リベット１７０２が、クリップベース１７０４を裏当てパネル１６０４に係留させる。クリップベース１７０４は、裏当てパネル１６０４におけるクリップベース１７０４の適切な配置及び位置合わせを調整するためにクロッキングディンプル１７０６を含む。クロッキングディンプル１７０６は、裏当てパネル１６０４に的確に位置付けられる穴又は窪み１７１２内に嵌まり、クリップベース１７０４の適切な位置を確実にする。クリップベース１７０４は布１７１０等の材料によって覆われる。材料１７１０にある小さいスリットが、クリップベース支柱１７０８を露出させることを可能にする。ベース支柱１７０８は、クリップ８０４を取り付けるための穴１７１４を含む。例えば、一実施形態では、クリップ８０４の上部は取り外し可能であるため、クリップ８０４は、着座穴１７１４を使用して、ベース支柱１７０８に沿って鉛直に開位置（中央及び上部の着座穴）と閉位置（中央及び底部の着座穴）との間で摺動することができる。
【００６２】
図１７Ａ〜図１７Ｆは、本発明の一実施形態に係るクリップアセンブリ１７００を示している。図１７Ａ〜図１７Ｆに示されているように、クリップアセンブリ１７００Ａは、クリップ８０４Ａ、クロッキングディンプル１７０６Ａ、クリップベース１７０４Ａ、クリップベース支柱１７０６Ａ及び着座穴１７１４Ａを含み、それぞれ、上記の図１７における同様の名称の要素に関して上述した機能と同様の機能を有する。図１７Ｃは、閉位置にあるクリップ８０４を示している。図１７Ａ及び図１７Ｄは開位置にあるクリップ８０４を示している。
【００６３】
上述したように、飛行機旅行の機内持ち込み用バッグは、最大で２２インチの高さに制限される。上記のゴルフセットの実施形態は、機内持ち込み手荷物の高さ要件を必ずしも満たさない可能性がある。その要件を満たすために、一実施形態では、第２カップラーがゴルフクラブに組み込まれ、バッグ及び組み付けられていない形態のゴルフクラブセットのサイズを更に低減する。ゴルフクラブシャフト部分１０３を２つの部分に分割することを可能にするように第２カップラーが位置付けられる。これらの部分は等しい長さである必要はない。例えば、一実施形態では、ゴルフクラブシャフト部分１０３はグリップ１０１の真下で分割される。２つのカップラーの実施形態の例示的な用途としては、飛行機旅行、ゴルフ練習場又は電子的なゴルフ練習場への行き帰り、及び、オートバイ又はスクーターによる移動が挙げられる。一実施形態では、双方の部分は長さが２２インチ未満である。
【００６４】
一実施形態では、第２カップラーはねじ山を有する。しかし、任意の連結技法を使用することができる。図１９Ａ及び図１９Ｂは、ゴルフクラブシャフト部分１０３を、ゴルフクラブグリップを含む上側シャフトセグメント１９０４及び下側シャフトセグメント１９０２に分割することを可能にするカップラー１９００を示している。図１９Ａを参照すると、ねじ式連結シャフトインサート１９０６は下側シャフトセグメント１９０２に挿入される。ねじ式連結シャフトインサート１９０６はねじ部分１９０８及びノッチ１９１０を含む。ねじ式連結シャフトインサート１９０６は、例えば、接着を含む任意の適切な技法によって下側シャフトセグメント１９０２に固定することができる。ねじ式連結シャフトインサート１９０６は、カップラー本体１９１４の受け部１９１２を提供する。一実施形態では、受け部１９１２は、カップラー本体１９１４の形状に合致するキャビティを有する。例えば、一実施形態では、キャビティは、円錐形状を有するカップラー本体１９１４の挿入を可能にするようなものである。一実施形態では、上側シャフトセグメント１９０４及び下側シャフトセグメント１９０２は長さが２２インチ未満である。
【００６５】
カップラー本体１９１４は、例えば、接着によって上側シャフトセグメント８０５に固着される。ねじ式連結リング１９８０が、上側シャフトセグメント１９０４の、グリップとは反対の端の適所に配置される。操作時に、ねじ式連結リング１９８０は、ねじ式連結シャフトインサート１９０６に螺合し、上側シャフトセグメント１９０４及び下側シャフトセグメント１９０２を一緒にきつく保持する。
【００６６】
回転防止ピン１９２４が、穴１９２５を通してノッチ１９１０内に嵌まり、一実施形態に係るゴルフクラブが使用されるときに上側シャフトセグメント１９０４及び下側シャフトセグメント１９０２が互いに対して回転することを防止する。更なる回転防止を、上述したような方向を有するねじ切りを使用することによって達成することができる。特に、ねじ切りは好ましくは右利きのプレーヤーには反時計回りであり、左利きのプレーヤーには時計回りである。使用時に、この方向を有するねじ切りは、プレーヤーがゴルフボールを打つときに上側シャフトセグメント１９０４と下側シャフトセグメント１９０２との間の連結部を締め付ける傾向にある。図２０は、ねじ式連結シャフトインサート１９０６に挿入されて上側シャフトセグメント１９０４と下側シャフトセグメント１９０２とを連結させるカップラー本体１９１４を有するカップラー１９００の断面図を示している。
【００６７】
一実施形態では、上側シャフトセグメント１９０４は、プレーの開始前に一度だけ下側シャフトセグメント１９０２に連結される必要がある。すなわち、一旦連結されると、クラブが運搬のためにしまわれるまでシャフトセグメントを分離する必要がない。変える必要があるのは、特定の状況（例えばゴルフのライ）に合わせた所望のゴルフクラブヘッドのみである。
【００６８】
図２０Ａは、一実施形態に係る上側シャフトセグメント１９０４の内部の接着剤チャネル（又は溝（scoring））１９５１及び１９５０を示している。接着剤チャネル１９５１及び１９５０は、カップラー及びシャフトの適切な結合に必要である。ゴルフクラブの操作は、パーツに対する種々の衝撃力及び応力を伴う。接着剤チャネル１９５０及び１９５１は、回転方向及び軸方向の力を制御して構成要素の位置合わせを変位させないようにするために定位置にある。１つの実施形態では、接着剤チャネル１９５０及び１９５１は、高速研削ビットを用いてグラファイトシャフトセクションに切り込まれ：例えば円形のチャネル（１９５１）及び直線的なチャネル１９５０である。チャネルの深さは変えることができ、一部には工学解析によって決まり、現場試験及び自動化試験によって検証される。１つの実施形態は、０．０１０インチの深さを使用する。別の実施形態では、ねじ切り用の左利き用のタップ工具を使用して０．００８インチの深さのチャネルが切り込まれる。ねじ山は、クラブの力を管理するのに必要な軸方向のチャネル及び直線的なチャネルの双方を提供する。別の実施形態では、軸方向の又はねじ状のチャネルは、マンドレル上に軸方向の又はねじ状の突出特徴部を配置することによって製造プロセスの一部としてグラファイトシャフトに形成することができる。図２０Ｂは、カップラー本体１９１４における接着剤チャネル１９５２（円形）及び１９５３（直線的）を示している。接着剤チャネル１９５２及び１９５３は、接着剤チャネル１９５１及び１９５０に関して上述したものと同じ目的を果たす。一実施形態では、溝（接着剤チャネル）はカップラー本体１９１４にある。別の実施形態では、溝は以下で記載するようにフィッティングにある。この溝切りを、カップラー２００の構成要素に対して行い、そのハウジングをゴルフクラブシャフトに固定するとともにヘッドシャフトセグメントをゴルフクラブヘッドに固定することができる。
【００６９】
グラファイトシャフトは、マンドレル上に一緒に接着されるグラファイト繊維の層から構成される。これらの繊維は、接合部で分離しているものとすることができ、ホーゼルによって一緒に保持されなければならない。図２０Ｃは、２つのホーゼル、すなわちこの目的で設計されるグリップ端ホーゼル１９７２及びヘッド端ホーゼル１９７０を示している。一実施形態では、グリップ端ホーゼル１９７２及びヘッド端ホーゼル１９７０は別個のパーツ（例えばリング）である。一実施形態では、グリップ端ホーゼル１９７２は、嵌合するカップラー本体１９１４に定位置に接着される。ヘッド端ホーゼル１９７２は、炭素繊維の解離を防止し、カップラーの接着領域の周りのシャフトの膨張を防止するという双方の利点を有する。この第２の利点は、接着剤チャネルがここでは満たされて膨張が不可能であるため、パーツを定位置にロックするように作用する。ヘッドホーゼル１９７２の更なる利点はアセンブリにおける位置合わせである。リングはシャフトを把持し、パーツの位置合わせを助ける。
【００７０】
図２０Ｃ〜図２０Ｇ、図２０Ｈ１〜図２０Ｈ９、図２０Ｉ１〜図２０Ｉ５、図２０Ｊ１〜図２０Ｊ３、図２０Ｋ１〜図２０Ｋ１０、図２０Ｌ１〜図２０Ｌ５、図２０Ｍ１〜図２０Ｍ５、図２０Ｎ１〜図２０Ｎ５及び図２０Ｏ１〜図２０Ｏ３は、一実施形態に係るカップラー１９００を示している。図２０Ｃは、一実施形態に係るカップラー１９００を、その主な構成要素の部分がどのように嵌め合わせられるかを示すように分離された状態で示している。図２０Ｄに示されているように、一実施形態では、カップラー１９００は、グリップ端フィッティング１９７４、カップラー本体１９１４、回転防止ピン１９２４、ヘッド端フィッティング１９７８、カラー１９８０、グリップ端ホーゼルリング１９７２、ヘッド端ホーゼルリング１９７０及びロックワッシャ１９７６を備える。図２０Ｄに示されているように、グリップ端フィッティング１９７４及びヘッド端フィッティング１９７８は上述したような溝を有することができる。この溝は、カップラー本体１９１４ではなくこれらのパーツにあるものとすることができる。図２０Ｅは、一実施形態に従って組み立てられたカップラー１９００を示している。図２０Ｆは、図２０Ｅに示されているようなカップラー１９００のＡ−Ａ’を通るカップラー１９００の断面図である。図２０Ｇは、グリップ端を通してヘッド端を見下ろしたカップラー１９００の透視図である。図２０Ｈは、図２０Ｇに示されているようなＢＦ−ＢＦ’で取ったカップラー１９００の断面図である。
【００７１】
図２０Ｈ１〜図２０Ｈ９は、一実施形態に係るグリップ端フィッティング１９７８を示している。グリップ端フィッティング１９７８は上側シャフトセグメント１９０４に挿入され、カップラー本体１９１４を上側シャフトセグメント１９０４に取り付ける働きをする。図２０Ｈ１及び図２０Ｈ２において分かるように、一実施形態では、グリップ端フィッティング１９７８は、ゴルフシャフトへの接着を高める接着剤チャネルとして働く、上述したような溝１９５２及び１９５３を有する。図２０Ｈ４は、図２０Ｈ３に示されているようなＢＧ−ＢＧ’で取ったグリップ端フィッティング１９７８の断面図である。図２０Ｈ９は、図２０Ｈ３に示されているようなＢＨ−ＢＨ’で取ったグリップ端フィッティング１９７８の断面図である。図２０Ｈ６は、図２０Ｈ４に示されているような細部ＣＡを示す透視図である。図２０Ｈ５は、図２０Ｈ４に示されているような細部ＣＣを示す透視図である。図２０Ｈ７は、底部から見上げたグリップ端フィッティング１９７８の透視図である。図２０Ｈ８は、上部から見下ろしたグリップ端フィッティング１９７８の透視図である。
【００７２】
図２０Ｉ１〜図２０Ｉ５は、一実施形態に係るカップラー本体１９１４を示している。一実施形態では、カップラー本体１９１４は、回転防止ピン１９２４を挿入する穴１９２５を含む。図２０Ｉ３は、図２０Ｉ２に示されているようなＥ−Ｅ’で取ったカップラー本体１９１４の断面図である。図２０Ｉ４は、底部から見上げたカップラー本体１９１４の透視図である。図２０Ｉ５は、上部から見下ろしたカップラー本体１９１４の透視図である。
【００７３】
一実施形態では、組み立てに役立つように、カップラー本体１９１４の外面の一部にねじ山が切られる。加えて、グリップ端フィッティング１９７８の内面の一部に、カップラー本体１９１４のねじ部分に合致するようにねじ山が切られる。このように、カップラー本体１９１４を、より容易な組み立てのためにグリップ端フィッティング１９７８に螺入することができる。一実施形態では、カップラー本体１９１４及びグリップ端フィッティング１９７８は単一のパーツとして製造される。
【００７４】
図２０Ｊ１〜図２０Ｊ３は、一実施形態に係る回転防止ピン１９２４を示している。回転防止ピン１９２４は、上側シャフトセグメント１９０４と下側シャフトセグメント１９０２との間の互いに対する回転を防止するのを助ける。図２０Ｊ３は、図２０Ｊ２に示されている回転防止ピン２０Ｊ３の端に向かって見た透視図である。
【００７５】
図２０Ｋ１〜図２０Ｋ１０は、一実施形態に係るヘッド端フィッティング１９０６を示している。上述したように、ヘッド端フィッティング１９０６は下側シャフトセグメント１９０２に挿入されてカップラー本体１９１４を受け入れ、下側シャフトセグメント１９０２と上側シャフトセグメント１９０４とを嵌合させる。図２０Ｋ１及び図２０Ｋ３において分かるように、一実施形態では、ヘッド端フィッティング１９０６は、上述したように、ゴルフシャフトへの接着を高める接着剤チャネルとして働く溝１９５２及び１９５３を有する。図２０Ｋ４は、図２０Ｋ２に示されているようなＣ−Ｃ’で取ったヘッド端フィッティング１９０６の断面図である。図２０Ｋ５は、図２０Ｋ２に示されているようなＤ−Ｄ’で取ったヘッド端フィッティング１９０６の断面図である。図２０Ｋ６は、図２０Ｋ３に示されているようなＣＤ−ＣＤ’で取ったヘッド端フィッティング１９０６の断面図である。図２０Ｋ９は、図２０Ｋ４に示されているような細部ＣＧを示す透視図である。図２０Ｋ１０は、図２０Ｋ４に示されているような細部ＣＥを示す透視図である。図２０Ｋ７は、底部から見上げたヘッド端フィッティング１９０６の透視図である。図２０Ｋ８は、上部から見下ろしたヘッド端フィッティング１９０６の透視図である。
【００７６】
図２０Ｌ１〜図２０Ｌ５は、一実施形態に係るカラー１９８０を示している。一実施形態では、カラー１９８０は、ロゴを配置するなどといった装飾目的で使用される。図２０Ｌ３は、図２０Ｌ２に示されているようなＣＦ−ＣＦ’で取ったカラー１９８０の断面図である。図２０Ｌ４は、底部から見上げたカラー１９８０の透視図である。図２０Ｌ５は、上部から見下ろしたカラー１９８０の透視図である。
【００７７】
図２０Ｍ１〜図２０Ｍ５は、一実施形態に係るヘッド端ホーゼル１９７０を示している。一実施形態では、ヘッド端ホーゼル１９７０は、上述したようにクラブシャフトにおける繊維の分離を防止するために使用される。図２０Ｍ３は、図２０Ｍ２に示されているようなＤＡ−ＤＡ’で取ったヘッド端ホーゼル１９７０の断面図である。図２０Ｍ４は、底部から見上げたヘッド端ホーゼル１９７０の透視図である。図２０Ｍ５は、上部から見下ろしたヘッド端ホーゼル１９７０の透視図である。
【００７８】
図２０Ｎ１〜図２０Ｎ５は、一実施形態に係るグリップ端ホーゼル１９７２を示している。一実施形態では、グリップ端ホーゼル１９７２は、上述したようにクラブシャフトにおける繊維の分離を防止するために使用される。図２０Ｎ３は、図２０Ｎ２に示されているようなＤＢ−ＤＢ’で取ったグリップ端ホーゼル１９７２の断面図である。図２０Ｎ４は、底部から見上げたグリップ端ホーゼル１９７２の透視図である。図２０Ｎ５は、上部から見下ろしたグリップ端ホーゼル１９７２の透視図である。
【００７９】
図２０Ｏ１〜図２０Ｏ３は、一実施形態に係るロックワッシャ１９７６を示している。図２０Ｏ３は、図２０Ｏ２に示されているロックワッシャ１９７６の側部に向かって見た透視図である。
【００８０】
図２１は、２つのカップラー、すなわち、一実施形態に係る、上側シャフトセグメントを下側シャフトセグメントに連結するカップラー１９００、及び、ゴルフクラブヘッドアセンブリを下側シャフトセグメントに連結するカップラー２００を使用して完全に組み付けられたゴルフクラブを示している。第２カップラー１９００を使用して、分解されたシャフトセグメントを２２インチ未満の全長に縮めることができる。このサイズは、一実施形態に係るゴルフクラブシステムが飛行機旅行の頭上収納棚に収まること、車に収まること、及び、バックパック又はオートバイの荷物入れ等のより小さい収納エリアに収まることを可能にする。
【００８１】
カップラー構成要素の材料選択は、カップラーの適切な機能にとって重要である。双方のカップラーは、使用時に大きな応力及び力を受ける。これらの力は、全ての構成要素の設計に対して重要な影響を有するが、力が小さいエリアに集中するエリアでは特に重要である。ボールベアリング又は回転防止ピンに接触する領域は、金属が力で変形しないようにかなりの硬さを有しなければならない。試験によって、ロックウェルＣ５４〜Ｃ６０がカップラーのこれらのエリアの許容可能な範囲であると判断された。硬化されたエリアは、脆弱になる可能性があるため、重要なエリアのみが十分に硬く、他のエリアはより可鍛性であるままにするように、誘導方法によって硬化を行わなければならない。例えば、１１０６の先端エリアはロックウェルＣ５４〜Ｃ６０を必要とし、一方で、その領域の外側の１１０６の部分は、より可鍛性があることがより重要である。本発明の１つの実施形態では、「耐疲労」１１４４鋼を、記載したような選択的な誘導硬化によって全てのカップラー構成要素に使用した。別の実施形態では、７０６８アルミニウムを、応力が最小であるパター用途に設計されたカップラーに使用した。カップラー構成要素の他の実施形態では他の材料を使用することができる。
【００８２】
ステンレス鋼を除いて、他の鋼は自然環境において錆びる。これに対抗するために、１つの実施形態におけるカップラー構成要素はニッケルでコーティングされるが、当業者は他のコーティングを変わりに用いてもよい。
【００８３】
本明細書中の種々の箇所において、パーツのねじ切りについて説明されている。一実施形態では、ねじ切りは、非Ｖ字形のベースを有するＵＮＥＦねじ規格を用いる。このタイプのねじは剪断することなくより高い力に耐えることが可能である。
【００８４】
別の実施形態では、ゴルフバッグは、航空機の頭上荷物棚での仕様に適合される。図２２は、機内持ち込み用バッグとも称される、飛行機の頭上コンパートメント内に収まるサイズである例示的なゴルフバッグ２２００の正面透視図を示している。一実施形態では、ゴルフバッグ２２００は、上述した二つのカップラー式のゴルフクラブシステムを使用する。図２２に示されているように、ゴルフバッグ２２００は、車輪２２０２、水ポケット２２０４、ジッパー２２０８及び伸張可能なハンドル２２０６を含む。図２３は、ハンドル２２０６が伸張した位置にあるゴルフバッグ２２００の側面透視図を示している。
【００８５】
図２４Ａ及び図２４Ｂは、３つ折りパネル構造又はインサート２４００の内部の詳細を示している。一実施形態では、３つ折りパネル構造２４００は、機内持ち込み用バッグ２２００に入れることができる。図２４Ａは、折り畳まれて例えばバッグ２２００内に詰め込まれる準備が整った３つ折りパネル構造を示している。図２４Ｂは、例えばゴルフカートのバッグバーから吊るされるように広がった３つ折りパネル構造２４００を示している。
【００８６】
一実施形態では、例えば、３つ折りパネル構造２４００は、ゴルフクラブヘッドを収納するために、図１４に関して上述したような１つ以上のストラップポーチ１４０２及びリング１４０４を含む。ストラップポーチ１４０２及びリング１４０４に加えて又はそれらの代わりに、３つ折りパネル構造２４００は、ゴルフクラブヘッドを収納するために、図８に関して上述したような１つ以上のクリップ８０４及びループ８０６を含むことができる。
【００８７】
３つ折りパネル構造２４００は、複数の着脱可能なゴルフクラブヘッドを保持する複数のヘッドストラップポーチ１４０２及びクリップ８０４を含む。図２５Ａ及び図２５Ｂは、ゴルフバッグ２２００に折り畳み可能な剛性の構造２４００を提供するスリーブ及びロッドを示している。図２５Ａ及び図２５Ｂに示されているように、折り畳まれたセクションは補強され、スリーブ２４０６及びロッド２４０８によって定位置に保持される。代替的な実施形態では、他の方法を使用して、広げること及びプレー中の剛性の必要性を容易にすることができる。図２５Ａに示されているように、折り畳み可能な剛性構造２４００は、折り畳み可能な剛性構造２４００を取り囲んでゴルフカートに締めるために、後部にストラップ２４１０を含む。例えば、一実施形態では、折り畳み可能な剛性構造２４００は、ストラップ２４１０を使用してゴルフカートの上部のバッグバーに締められる。図２６は、折り畳み可能な剛性構造２４００が折り畳まれた位置にある機内持ち込み用ゴルフバッグ２２００の断面図を示している。
【００８８】
従来のゴルフセットに対する複数の他の支持用途において単一のカップラーの実施形態を使用することができる。例えば、一実施形態では、カップラーハウジングはシャフト又はパターに配置され、連結ピンはパターの短いシャフトセグメントに挿入される。これは、プレーヤーがプレーの過程で所望に応じてパターヘッドを選択することを可能にし、標準的なクラブのセットに加えることができる。例えば、図２７は、パターシャフト又はゴルフクラブシャフトのスリーブ支持体２７０１を有して構成される標準的なゴルフバッグ２７００を示している。一実施形態では、スリーブ支持体２８０１は、例えばプラスチック管等の管を含むか又は管である。ゴルフクラブシャフト部分１０３等のゴルフクラブシャフト部分２７０３をスリーブ支持体２７０１に配置することができる。スリーブ支持体２７０１の長さ（高さ）は、ゴルフクラブシャフト部分２７０３のグリップ２７０２にバッグ２７００の上部からアクセス可能であるようなものである。一実施形態では、スリーブ支持体２７０１は、オーバーグリップ２７０４を使用してゴルフバッグ２７００に取り付けられる。一実施形態では、オーバーグリップ２７０４は、ゴルフバッグ２７００の上部においてリップを覆って嵌まる。一実施形態では、オーバーグリップ２７０４は、例えばベルクロを使用することによってバッグ２７００に固定される。
【００８９】
別の実施形態では、カップラーハウジングはロングパターのシャフトに配置され、旅行のためのロングパターの迅速な分解及び再組み立てを容易にする。例えば、図２８は、ロングシャフトパターを支持するデュアルスリーブ２８０４設計を有して構成される標準的なゴルフバッグ２８００を示している。パターは、その構成要素のゴルフクラブシャフト部分２８０６及びゴルフクラブヘッド部分２８０８として別個のスリーブに収納される。この例示的な場合、ゴルフクラブヘッド部分２８０８はパターヘッド２８０２を含む。ゴルフクラブシャフト部分２８０６はグリップ２８０１を含む。一実施形態では、各スリーブは、プラスチック管等の管を含むか又は管である。一実施形態では、デュアルスリーブ２８０４は、オーバーグリップ２８０３を使用してゴルフバッグ２８００に取り付けられる。一実施形態では、オーバーグリップ２８０３は、ゴルフバッグ２８００の上部においてリップを覆って嵌まる。一実施形態では、オーバーグリップ２８０３は、ベルクロを使用してゴルフバッグ２８００に固定される。ゴルフクラブシャフト部分２８０６及びゴルフクラブヘッド部分２８０８の双方は、容易な旅行のために二重スリーブ２８０４に収納される。任意の所望のクラブをスリーブ２８０４に収納することができる。
【００９０】
ロングシャフトパターに変更を加える代替的な方法は、シャフトの長さが４５インチ（ドライバーの長さ）よりも幾分短いように、シャフト２８０１にカップラー２００を挿入することである。次に、ゴルフクラブヘッド部分２８０８を、上述したようにゴルフバッグポケットに入れることができ、シャフト２８０１はバッグ内に直接配置される。
【００９１】
別の例示的な態様では、カップラーハウジングはシャフトに配置され、連結ピンは、ウェッジ及びパターヘッドの短シャフトセグメントに挿入される。これは、レンタルしたクラブを補強するとともに通常は乏しいショートゲーム用のクラブを有する旅行用の拡張セットを形成することを容易にする。
【００９２】
パターフィッティングが、本発明の実施形態の別の例示的な用途である。ゴルフでは、パターは、ヘッドの形及びシャフトの長さに関して設計の最も大きな選択肢を提示する。その結果、ゴルフの小売店は通常、それらのフロアーにおいて顧客が試行するために数十ものパターを有する。各パターの形は、異なる身長のプレーヤーに対応するように種々のシャフトの長さで提供される。パターヘッドの形及びシャフトの長さの組み合わせの順列のマトリックスは、非常に大きく、顧客が試すための完全な選択肢のアレイを提供するように店舗が数百ものパターを扱うことを必要とする。パターフィッティング用途におけるカップラーハウジング２００及びヘッド連結ピン１０６の使用は、種々のパターヘッドの形にわたって少数のシャフトを共有することができるため、必要なフロアーサンプルのパターの数を大幅に低減することができる。カップラーハウジング２００及びヘッド連結ピン１０６の迅速な接続分離並びにフィッティングシステムへの再接続の特徴は、明らかなビジネス上の利点を有する。例えば、任意のヘッドを任意のシャフトハンドルの組み合わせにスナップ留め可能であることは、フィッティングキットにおいて必要なクラブの数を大幅に低減することを可能にする。
【００９３】
幾つかの場合、例えばレンタルしたクラブのセットを強化するか、又は、特定の状況に利用可能な付加的なゴルフクラブオプションを有するために、付加的なヘッドを持ち運ぶことが望ましい。したがって、ゴルフバッグに取り付けることができる小さいバッグに幾つかのヘッドを入れて旅行することが望ましい。これらの付加的なゴルフクラブヘッドは、パターヘッド若しくはショートゲーム用のウェッジヘッド、又は、任意の他の所望のゴルフクラブヘッドであり得る。一実施形態では、付加的な交換可能なゴルフクラブヘッドによって付加的なゴルフクラブセットを提供するサイドバッグ又は旅行バッグのアタッチメントが望ましい。
【００９４】
図２９は、付加的なゴルフクラブヘッドを持ち運ぶためのサイドバッグ又は旅行バッグ２９００を示している。旅行バッグ２９００は、オーバーグリップ２９０６を使用してゴルフバッグ２９０９に取り付けられる。一実施形態では、オーバーグリップ２９０６は、小さい旅行バッグ２９００をゴルフバッグ２９０９によりしっかりと取り付けるためにベルクロの内張り２９１０を含む。代替的には、又はオーバーグリップ２９０６に加えて、ゴルフバッグ２９０９は、ゴルフバッグ２９０９上にタイ２９０２及び／又はベルクロパッチ２９１１を含む。ゴルフクラブヘッドは、他のゴルフバッグの実施形態に関して上述したように収納される。例えば、図２９に示されているように、クラブヘッドは、クラブストラップポーチ２９０４及び２９０５並びにクリップ２９０３を使用して収納される。幾つかのパターの設計は、ベルクロ２９０８を介して、又は、それらの短シャフトセグメント及びピンがスロット２９１２等のスロットを通してクラブストラップポーチ２９１４に配置された状態で、ポーチを開くことが好ましい場合がある。図２９は、ベルクロパッチ２９１１及びタイ２９０２の双方を使用してバッグの片側のみがゴルフバッグ２９０９に固定された状態で開いている例示的な旅行バッグ２９００を示している。図２９に示されているように、パターヘッド２９０７は、収納されるときにパターヘッド２９０７のパターヘッド２９０７の連結ピンのゴルフヘッドシャフトセグメントが嵌まるベルクロ開口を有するストラップに収納される。
【００９５】
別の実施形態では、旅行用のバックパック式のゴルフバッグ３０００が形成される。図３０は、ゴルフバッグ３０００の側面透視図及び後面透視図を示している。一実施形態では、ゴルフバッグ３０００は、調整部３００４及びジッパー３００２を有するショルダーストラップ３００３を含む。
【００９６】
図３１は、一実施形態に係るゴルフバッグ３０００の内部を示している。図３１に示されているように、一実施形態では、ゴルフバッグ３０００は、複数のクラブストラップポーチ３１０９及びクリップ３１０８、シャフト固定スリーブ３１１５及び３１１８、並びに、ゴルフクラブシャフト部分３１０４及び３１０５を固定するシャフト固定弾性ストラップ３１１６及び３１１７を含む。図８及び図１４に関して上述したような縫い付けられたポーチ及び／又はクリップ３１０８が、ゴルフクラブヘッド３１２０等のゴルフクラブヘッドを保持する。一実施形態では、ゴルフクラブヘッドを保持するのにクリップ３１０８のみが使用される。一実施形態では、上述したように、縫い付けられるポーチ及びクリップの代わりに発泡体切欠き部を使用することができる。
【００９７】
一実施形態では、ゴルフバッグ３０００の背部３１１０は、ジッパー３１１１を使用してファスナーが開かれると（図示のように）下方に回転し、コンピュータータブレットポーチ３１０３を示す。一実施形態では、コンピュータータブレットは、スロット３１０２を介してコンピュータータブレットポーチ３１０３に挿入することができ、材料３１１９によって適所に保持される。３つの脚部３１０１がバッグの底部から延び、図示のようにそれらの動作位置に固定される。一実施形態では、脚部３１０１は伸縮式であり、セクション３１１３及び３１１４を含む。一実施形態では、保護足３１１２が脚部３１０１の端部に含まれ、ゴルフバッグ３０００が直立形態にあるときにゴルフバッグ３０００に付加的な安定性を与え、下にある表面に保護を与える。脚部３１０１の例示的な設計は共有財産で利用可能であり、当業者には既知である。
【００９８】
実施形態は、スイング感知パフォーマンスモニター、追跡のためのクラブ感知、並びに、トレーニング及びビデオの双方向性、並びに、練習及びプレーの全ての側面のゲーミフィケーション（例えば、ゲーム又はインストラクションにおいて使用されるデータ収集）と相互作用することを可能にする。図３２は、一実施形態に係るゴルフクラブの使用に関連するデータを収集するシステム３２００を示している。図３２に示されているように、本発明の設定は、ゴルフクラブシャフト３２０６に配置されるスイング運動感知装置３２０１を有して構成される。スイング運動感知装置３２０１は、ベルトコンピューティング装置（若しくはスマートフォン等の他のコンピューティング装置）３２０４、又は、ゴルフバッグ３０００のタブレットコンピューターポーチ３１０３内のタブレットコンピューター３２０５（若しくはコンピュータータブレットポーチを有する他のゴルフバッグの実施形態）に対して提示するスイング運動情報（例えばスイングパラメーター）を収集する。所望であれば、クラブ識別情報（クラブヘッド３２０７の識別等）が、ＲＦＩＤタグ３２０３によってこれらの装置のいずれか又は全てに送信される。一実施形態では、ゴルフクラブヘッド３２０７は着脱可能なゴルフクラブヘッドであり、ＲＦＩＤタグ３２０３はゴルフクラブヘッド３２０７のヘッドシャフトセグメントに固着され、着脱可能なゴルフクラブヘッド３２０７のタイプ（ドライバー、３番ウッド、７番アイアン、パター等）に合わせて特別に構成される。
【００９９】
一実施形態では、任意の数のこれらの構成要素を組み合わせて、インタラクティブなソフトウェアアプリケーションを、プレー、練習及び／又はゲーミフィケーションにおいて使用するために形成することを可能にすることができる。図３３は、プレー、練習及び／又はゲーミフィケーションにおいて使用されるゴルフ関連データを収集する例示的なシステム３３００の概略図である。図３３に示されているように、ゴルファー３３０１がゴルフクラブ３３０３を使用する。ゴルフクラブ３３０３は、ＲＦＩＤタグ３３０６及びスイング運動感知装置３３０８を有して構成される。ＲＦＩＤタグ３３０６は、ゴルフクラブ３３０３のクラブヘッド３３０７に関する情報を含む。スイング運動感知装置３３０８は、スイングパラメーター等のスイング運動データを収集する。ゴルファー３３０１は、ベルトコンピューティング装置（又はスマートフォン等の他のコンピューティング装置）３３０２を有する。一実施形態では、コンピューティング装置３０４２は、ＲＦＩＤタグ３３０６及び／又はスイング運動感知装置３３０８からのデータを収集するように構成されている。
【０１００】
ＲＦＩＤタグ３３０６及び／又はスイング運動感知装置３３０８からのデータは、データ収集装置３３１０によって収集される。データ収集装置３３１０はコンピューティング装置３３０２であることができる。代替的な実施形態では、データ収集装置３３１０は、図３３に示されているコンピュータータブレット３３０５のようなコンピュータータブレットである。データ収集装置は、ゴルファー３３０１のゴルフスイングに関連して捕捉することができるビデオも収集することができる。
【０１０１】
データ収集装置は、収集したデータをローカルアプリケーションプロセス３３１２に転送する。ローカルアプリケーションプロセス３３１２は、図３３に示されているコンピューティング装置３３１２又はコンピュータータブレット３３０５のようなコンピュータータブレットにおいて実行することができる。ローカルアプリケーションプロセスはユーザーインターフェース３３１４をゴルファー３３０１に提供する。練習のシナリオでは、ユーザーインターフェース３３１２は、ゴルファー３３０１に、自身のゴルフスイングに関する種々のパラメーターについての情報を提供することができ、これをゴルファー３３０１が使用して自身のゴルフスイングを改善する。ゲーミフィケーションのシナリオでは、ユーザーインターフェース３３１２は、ボールが示されるシミュレーションされるゴルフコースの景色を提供することができ、その場所は、ゴルファー３３０１のゴルフスイング及びＲＦＩＤ３３０６データによって示されるクラブヘッドのタイプに関連する収集されたデータに依存する。
【０１０２】
収集したデータは、保存のために中央ロケーションに送信することができる。例えば、一実施形態では、ローカルアプリケーションプロセス３３１２はクラウドネットワーク３３１６と通信する。クラウドネットワーク３３１６は、ゲートウェイ、ルーター、サーバー、又は、ネットワーク内で１つのノードから別のノードへの通信を提供する他の装置の任意の組み合わせであるものとすることができる。クラウドネットワーク３３１６は、ローカルエリアネットワーク（ＬＡＮ）、ワイドエリアネットワーク（ＷＡＮ）を含む任意のネットワークアーキテクチャであることができ、公衆及び／又はプライベートネットワークの任意の組み合わせであることができ、任意の数の装置を含むことができる。例示的なクラウドネットワークはインターネットである。最後に、クラウドネットワーク３３１６内のサーバーにおいて実行するアプリケーションサーバープロセス３３１２は、クラウドネットワーク３３１６を通じて、ローカルアプリケーションプロセス３３１２によって送信されたデータを受信する。アプリケーションサーバープロセス３３１８が、ユーザーデータベース３３２０にデータを記憶することができる。付加的なデータを、名前、アカウント番号及び／又は他の識別情報等のゴルファー３３０１に関する識別情報とともに記憶することができるため、ゴルファー特有のデータを検索することができる。日付、時間、場所、ホール番号等の他の情報、又はそれ以外の情報も記憶することができる。アプリケーションサーバープロセス３３１８は、データ収集装置３３１０によってビデオ記憶装置３３２２に収集された可能性があるビデオデータも記憶することができる。
【０１０３】
アプリケーションサーバープロセス３３１８は、データ収集装置３３１０から受信され、及び／又はゴルファー３３０１に提供されるデータを処理する上で使用されるローカルアプリケーションプロセス３３１２にも情報を提供することができる。練習の場合の一実施形態では、例えば、アプリケーションサーバープロセス３３１８は、ビデオ記憶装置３３２２から教育ビデオを得てローカルアプリケーションプロセス３３１２に送信し、ユーザーインターフェース３３１４において表示することができる。ローカルアプリケーションプロセス３３１２は、データ収集装置３３１０から受信したデータを分析し、ゴルファー３３０１に、自身のスイングを矯正するようにユーザーインターフェース３３１４上で提言することができる。ゲーミフィケーションの場合の一実施形態では、アプリケーションサーバープロセスはライブラリ３３２４にアクセスし、シミュレーションされるラウンド上でプレーするためにゴルファー３３０１によって選択されるゴルフコースに関連するコースマップ情報を得ることができる。そのコースマップデータ（全コース又はその一部、例えばコース上のワンホール）を、クラウドネットワーク３３１６を通じてローカルアプリケーションプロセス３３１２にダウンロードすることができる。ローカルアプリケーションプロセス３３１２は、データ収集装置３３１０から収集されたデータとともにこの情報を使用して、ユーザーインターフェース３３１４上に表示される、選択されたゴルフコースにおけるゴルフショットをシミュレーションすることができる。
【０１０４】
図３４Ａ〜図３４Ｆは、別の実施形態に係るゴルフクラブセットを収納及び運搬するゴルフバッグ３４００の一実施形態を示している。図３４Ａに示されているように、ゴルフバッグ３４００は、ゴルフクラブヘッド３４０４ａ、３４０４ｂ、３４０４ｃ、３４０４ｄ及び３４０４ｅが収納される発泡体インサート３４０２を含む。加えて、下側シャフトセグメント１９０２及び上側シャフトセグメント１９０４が発泡体インサートに収納される。加えて、ゴルフバッグ３４００を背負って持ち運ぶことを容易にするためにラップベルト３４０３が提供される。図３４Ｂは、ゴルフバッグ３４００を背負って持ち運ぶときに使用されるストラップ３４１４を示すゴルフバッグ３４００の側面透視図である。図３４Ｃはゴルフバッグ３４００の上面透視図である。図３４Ｄ及び図３４Ｆは、クラブヘッド３４０４ａ、３４０４ｂ及び３４０４ｃ並びに下側シャフトセグメント１９０２及び上側シャフトセグメント１９０４へのアクセスを提供するように開放されるか及び／又は取り外されることができる上部パネル３４１２を示している。一実施形態では、ゴルフバッグ３４００は、取り外し可能なコンピュータータブレットポーチ３４１４も含む。図３４Ｅは、使用時、例えばゴルフのラウンドをプレーしている間にゴルフバッグ３４００への支持を提供する伸張可能な脚部３５０２オプションを示している。図３４Ｇ〜図３４Ｊは、発泡体インサート３４０２の更なる図を示している。図３４Ｇは、クラブヘッドが収納のために挿入される発泡体インサート３４０２のスロット３４０８等のスロットを示している。一実施形態では、スロットは、スロットに収納されるクラブヘッドに従ってラベルが付される。図３４Ｉは、異なる長さのヘッドシャフトセグメントの収まり方を示している。
【０１０５】
図３５Ａ〜図３５Ｃは、使用時にバッグ３４００に支持スタンドを提供する伸縮式の脚部オプションを示している。図３５Ａに示されているように、伸張可能な脚部３５０２が、ブラケット３５１０ａ及び３５１０ｂによって裏当て支持体３５０４に取り付けられる。裏当て支持体３５０４は、ゴルフバッグ３４００の後部及び底部に構造を提供する。図３５Ｂに示されているように、伸張可能な脚部３５０２は、プレスクランプ３５０６を開くことによって伸張される。ねじ３５１２を使用して必要に応じてプレスクランプ３５０６を締め付けることができる。図３５Ｃは、ゴルフカートにおける移動を防止するようにゴルフバッグアセンブリに支持を提供する足部支持体３５０８を示している。
【０１０６】
図３６は、一実施形態に係る取り外し可能なコンピュータータブレットポーチパネル３６０２を示している。図示のように、取り外し可能なコンピュータータブレットポーチパネル３６０２はジッパー３６０６を使用して全体的に取り外すか又は単に開くことができる。取り外し可能なコンピュータータブレットポーチパネル３６０２は、コンピュータータブレット装置用の便利な持ち運びツールを提供する。
【０１０７】
図３７は、一実施形態に係る取り外し可能なコンピュータータブレットポーチパネル３７０２を示している。図示のように、取り外し可能なコンピュータータブレットポーチパネル３７０２は、ジッパー３７０６を使用して全体的に取り外すか又は単に開くことができる。取り外し可能なコンピュータータブレットポーチパネル３６０２とは異なり、取り外し可能なコンピュータータブレットポーチパネル３７０２の取り外しは、ゴルフバッグ３４００の内部へのアクセスを提供しない。第２パネル３７０４を開かなければならない。取り外し可能なコンピュータータブレットポーチパネル３７０２は、コンピュータータブレット装置用の便利な持ち運びツールを提供する。
【０１０８】
図３８Ａは、一実施形態に係るゴルフバッグ３４００内の拡張可能なサイドパネル３８０２を示している。拡張可能なサイドパネル３８０２は、付加的な持ち運び容量に使用することができ、使用されないときは折り畳まれる。一実施形態では、拡張可能なサイドパネル３８０２はポケット３８０４を含む。ポケット３８０４は、水、ソーダ等のボトルを持ち運ぶといった任意の目的で使用することができる。図３８Ｂは、ゴルフバッグ３４００及び拡張可能なサイドパネル３８０２をそれらの折り畳まれた位置で、及び、閉じた内部ポケット３８０６を示している。図３８Ｂは、ゴルフバッグ３４００を、拡張した位置にある拡張可能なサイドパネル３８０２及び開いた内部ポケット３８０６とともに示している。図３８Ｄは、一実施形態における、拡張可能なサイドパネル３８０２を、内部ジッパー３８０８を使用してゴルフバッグ３４００の本体から取り外し可能であることを示している。
【０１０９】
図３９は、一実施形態ではゴルフバッグ３４００の上部３９０４に縫い付けられるハンドル３９０２を示している。使用されないとき、一実施形態では、ハンドル３９０２をスラッシュポケット３９０６内にしまい込むことができる。
【０１１０】
図４０は、一実施形態において１つ以上のゴルフティー３４２０を収納するのに使用されるストラップ３４１８を示している。
【０１１１】
本発明の好ましい実施形態の上記の開示は、例示及び説明のために提示されている。上記の開示は、網羅的であるか、又は本発明を開示される正確な形態に限定することは意図されない。本明細書において記載される実施形態の多くの変形及び変更が、上記開示を踏まえて当業者には明らかであろう。本発明の範囲は、添付の特許請求の範囲及びそれらの均等物のみによって規定されるべきである。
【０１１２】
さらに、本発明の代表的な実施形態を説明する上で、明細書は、本発明の方法及び／又はプロセスを、ステップの特定のシーケンスとして提示している場合がある。しかし、方法又はプロセスが本明細書において記載されるステップの特定の順序に依拠しない範囲まで、方法又はプロセスは記載されるステップの特定のシーケンスに限定されるべきではない。当業者は理解するように、ステップの他のシーケンスが可能であり得る。したがって、本明細書において記載されるステップの特定の順序は、特許請求の範囲に対する限定として解釈されるべきではない。加えて、本発明の方法及び／又はプロセスに関する請求項は、それらのステップを記載の順序で行うことに限定されるべきではなく、当業者は、シーケンスを変更することができ、依然として本発明の主旨及び範囲内にあることを容易に理解することができる。
【図１】
2016509496.tif 000003
【図２】
2016509496.tif 000004
【図３】
2016509496.tif 000005
【図４】
2016509496.tif 000006
【図５Ａ】
2016509496.tif 000007
【図５Ｂ】
2016509496.tif 000008
【図５Ｃ】
2016509496.tif 000009
【図６】
2016509496.tif 000010
【図７】
2016509496.tif 000011
【図８】
2016509496.tif 000012
【図９】
2016509496.tif 000013
【図９Ａ】
2016509496.tif 000014
【図１０】
2016509496.tif 000015
【図１１】
2016509496.tif 000016
【図１２】
2016509496.tif 000017
【図１３Ａ】
2016509496.tif 000018
【図１３Ｂ】
2016509496.tif 000019
【図１３Ｃ】
2016509496.tif 000020
【図１４】
2016509496.tif 000021
【図１５】
2016509496.tif 000022
【図１６】
2016509496.tif 000023
【図１７】
2016509496.tif 000024
【図１７Ａ】
2016509496.tif 000025
【図１７Ｂ】
2016509496.tif 000026
【図１７Ｃ】
2016509496.tif 000027
【図１７Ｄ】
2016509496.tif 000028
【図１７Ｅ】
2016509496.tif 000029
【図１７Ｆ】
2016509496.tif 000030
【図１９Ａ】
2016509496.tif 000031
【図１９Ｂ】
2016509496.tif 000032
【図２０】
2016509496.tif 000033
【図２０Ａ】
2016509496.tif 000034
【図２０Ｂ】
2016509496.tif 000035
【図２０Ｃ】
2016509496.tif 000036
【図２０Ｄ】
2016509496.tif 000037
【図２０Ｅ】
2016509496.tif 000038
【図２０Ｆ】
2016509496.tif 000039
【図２０Ｇ】
2016509496.tif 000040
【図２０Ｈ１】
2016509496.tif 000041
【図２０Ｈ２】
2016509496.tif 000042
【図２０Ｈ３】
2016509496.tif 000043
【図２０Ｈ４】
2016509496.tif 000044
【図２０Ｈ５】
2016509496.tif 000045
【図２０Ｈ６】
2016509496.tif 000046
【図２０Ｈ７】
2016509496.tif 000047
【図２０Ｈ８】
2016509496.tif 000048
【図２０Ｈ９】
2016509496.tif 000049
【図２０Ｉ１】
2016509496.tif 000050
【図２０Ｉ２】
2016509496.tif 000051
【図２０Ｉ３】
2016509496.tif 000052
【図２０Ｉ４】
2016509496.tif 000053
【図２０Ｉ５】
2016509496.tif 000054
【図２０Ｊ１】
2016509496.tif 000055
【図２０Ｊ２】
2016509496.tif 000056
【図２０Ｊ３】
2016509496.tif 000057
【図２０Ｋ１】
2016509496.tif 000058
【図２０Ｋ２】
2016509496.tif 000059
【図２０Ｋ３】
2016509496.tif 000060
【図２０Ｋ４】
2016509496.tif 000061
【図２０Ｋ５】
2016509496.tif 000062
【図２０Ｋ６】
2016509496.tif 000063
【図２０Ｋ７】
2016509496.tif 000064
【図２０Ｋ８】
2016509496.tif 000065
【図２０Ｋ９】
2016509496.tif 000066
【図２０Ｋ１０】
2016509496.tif 000067
【図２０Ｌ１】
2016509496.tif 000068
【図２０Ｌ２】
2016509496.tif 000069
【図２０Ｌ３】
2016509496.tif 000070
【図２０Ｌ４】
2016509496.tif 000071
【図２０Ｌ５】
2016509496.tif 000072
【図２０Ｍ１】
2016509496.tif 000073
【図２０Ｍ２】
2016509496.tif 000074
【図２０Ｍ３】
2016509496.tif 000075
【図２０Ｍ４】
2016509496.tif 000076
【図２０Ｍ５】
2016509496.tif 000077
【図２０Ｎ１】
2016509496.tif 000078
【図２０Ｎ２】
2016509496.tif 000079
【図２０Ｎ３】
2016509496.tif 000080
【図２０Ｎ４】
2016509496.tif 000081
【図２０Ｎ５】
2016509496.tif 000082
【図２０Ｏ１】
2016509496.tif 000083
【図２０Ｏ２】
2016509496.tif 000084
【図２０Ｏ３】
2016509496.tif 000085
【図２１】
2016509496.tif 000086
【図２２】
2016509496.tif 000087
【図２３】
2016509496.tif 000088
【図２４Ａ】
2016509496.tif 000089
【図２４Ｂ】
2016509496.tif 000090
【図２５Ａ】
2016509496.tif 000091
【図２５Ｂ】
2016509496.tif 000092
【図２６】
2016509496.tif 000093
【図２７】
2016509496.tif 000094
【図２８】
2016509496.tif 000095
【図２９】
2016509496.tif 000096
【図３０】
2016509496.tif 000097
【図３１】
2016509496.tif 000098
【図３２】
2016509496.tif 000099
【図３３】
2016509496.tif 000100
【図３４Ａ】
2016509496.tif 000101
【図３４Ｂ】
2016509496.tif 000102
【図３４Ｃ】
2016509496.tif 000103
【図３４Ｄ】
2016509496.tif 000104
【図３４Ｅ】
2016509496.tif 000105
【図３４Ｆ】
2016509496.tif 000106
【図３４Ｇ】
2016509496.tif 000107
【図３４Ｈ】
2016509496.tif 000108
【図３４Ｉ】
2016509496.tif 000109
【図３４Ｊ】
2016509496.tif 000110
【図３５Ａ】
2016509496.tif 000111
【図３５Ｂ】
2016509496.tif 000112
【図３５Ｃ】
2016509496.tif 000113
【図３６】
2016509496.tif 000114
【図３７】
2016509496.tif 000115
【図３８Ａ】
2016509496.tif 000116
【図３８Ｂ】
2016509496.tif 000117
【図３８Ｃ】
2016509496.tif 000118
【図３８Ｄ】
2016509496.tif 000119
【図３９】
2016509496.tif 000120
【図４０】
2016509496.tif 000121
【国際調査報告】
2016509496.tif 000122